(57)【要約】  Ｄｕｖが０から負に大きく離れたVIVID照明で照射された、展示物を含む空間を薄桃色がかっていると知覚しないようにする照明システム及び照明方法の提供を課題とし、展示物が展示された空間を照明する照明システムであって、展示物を主として照射する所定の条件を満たす第１の発光装置、及び、該展示物以外の空間を主として照射する所定の条件を満たす第２の発光装置を含む照明システムで該課題を解決する。
2018194168.tif 000002
【特許請求の範囲】
【請求項１】
展示物が展示された空間を照明する照明システムであって、
該照明システムは、展示物を主として照射する第１の発光装置、及び、該展示物以外の空間を主として照射する第２の発光装置を含み、
（Ｉ）前記第１の発光装置は、発光要素を内在する発光装置であって、
（Ｉ−１）前記発光装置から出射される光は、Ｄｕｖが−０．０１２０以上−０．００５０以下となる光を主たる放射方向に含み；
（Ｉ−２）前記発光装置から当該放射方向に出射される光による照明を数学的に仮定した場合の＃０１から＃１５の下記１５種類の修正マンセル色票のＣＩＥ  １９７６  Ｌ＊ａ＊ｂ＊色空間におけるａ＊値、ｂ＊値をそれぞれａ＊ｎＳＳＬ、ｂ＊ｎＳＳＬ（ただしｎは１から１５の自然数）とし、
当該放射方向に出射される光の相関色温度ＴＳＳＬ（Ｋ）に応じて選択される基準の光での照明を数学的に仮定した場合の当該１５種類の修正マンセル色票のＣＩＥ  １９７６  Ｌ＊ａ＊ｂ＊色空間におけるａ＊値、ｂ＊値をそれぞれａ＊ｎｒｅｆ、ｂ＊ｎｒｅｆ（ただしｎは１から１５の自然数）とした場合に、
前記発光装置から当該放射方向に出射される光は、
飽和度差ΔＣｎ（ｎは１から１５の自然数）が−３．８以上１８．６以下を満たし、
ただし、ΔＣｎ（ｎは１から１５の自然数）＝√｛（ａ＊ｎＳＳＬ）２＋（ｂ＊ｎＳＳＬ）２｝−√｛（ａ＊ｎｒｅｆ）２＋（ｂ＊ｎｒｅｆ）２｝であり；
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
（Ｉ−３）前記ΔＣｎ（ｎは１〜１５のすべての整数）の平均が０．５以上７．０以下であり；
（Ｉ−４）前記発光装置に係る飽和度差ΔＣ１４が、
０  ≦  ΔＣ１４
を満たし、
ただし、ΔＣ１４は前記ΔＣｎにおけるｎ＝１４の場合を示すものであり；
（ＩＩ）前記第２の発光装置は、発光要素を内在する発光装置であって、
（ＩＩ−１）前記発光装置から出射される光は、Ｄｕｖが−０．００７０以上０未満となる光を主たる放射方向に含み；
（ＩＩ−２）前記発光装置から当該放射方向に出射される光は、前記第１の発光装置の場合と同様に定義されるΔＣｎ（ｎは１から１５の自然数）が−３．８以上１８．６以下を満たし；
（ＩＩ−３）前記ΔＣｎ（ｎは１〜１５のすべての整数）の平均が０．５以上７．０以下であり；
（ＩＩ−４）前記発光装置に係る飽和度差ΔＣ１４が、
０  ≦  ΔＣ１４
を満たし、
ただし、ΔＣ１４は前記ΔＣｎにおけるｎ＝１４の場合を示すものであり；
（ＩＩＩ）前記第１の発光装置に係るΔＣｎ（ｎは１〜１５のすべての整数）の平均をＳＡＴａｖｅ１とし、
前記第２の発光装置に係るΔＣｎ（ｎは１〜１５のすべての整数）の平均をＳＡＴａｖｅ２としたとき、
ＳＡＴａｖｅ２  ＜  ＳＡＴａｖｅ１
を満たすことを特徴とする照明システム。
【請求項２】
請求項１に記載の照明システムであって、
（ＩＶ）前記第１の発光装置に係るＤｕｖをＤｕｖＳＳＬ１とし、前記第２の発光装置に係るＤｕｖをＤｕｖＳＳＬ２としたとき、
ＤｕｖＳＳＬ１  ＜  ＤｕｖＳＳＬ２
を満たすことを特徴とする照明システム。
【請求項３】
請求項１又は２に記載の照明システムであって、
（Ｖ）前記ＤｕｖＳＳＬ１と前記ＤｕｖＳＳＬ２との差である｜ＤｕｖＳＳＬ２  −  ＤｕｖＳＳＬ１｜が、０より大きく０．００７０以下を満たすことを特徴とする照明システム。
【請求項４】
請求項１〜３のいずれか１項に記載の照明システムであって、
前記第１及び第２の発光装置は、
（Ｉ−５）（ＩＩ−５）前記発光装置から当該放射方向に出射される光の分光分布をφＳＳＬ（λ）、前記発光装置から当該放射方向に出射される光の相関色温度ＴＳＳＬ（Ｋ）に応じて選択される基準の光の分光分布をφｒｅｆ（λ）、前記発光装置から当該放射方向に出射される光の三刺激値を（ＸＳＳＬ、ＹＳＳＬ、ＺＳＳＬ）、前記発光装置から当該放射方向に出射される光の相関色温度ＴＳＳＬ（Ｋ）に応じて選択される基準の光の三刺激値を（Ｘｒｅｆ、Ｙｒｅｆ、Ｚｒｅｆ）とし、
前記発光装置から当該放射方向に出射される光の規格化分光分布ＳＳＳＬ（λ）と、前記発光装置から当該放射方向に出射される光の相関色温度ＴＳＳＬ（Ｋ）に応じて選択される基準の光の規格化分光分布Ｓｒｅｆ（λ）と、これら規格化分光分布の差ΔＳＳＳＬ（λ）をそれぞれ、
ＳＳＳＬ（λ）＝φＳＳＬ（λ）／ＹＳＳＬ
Ｓｒｅｆ（λ）＝φｒｅｆ（λ）／Ｙｒｅｆ
ΔＳＳＳＬ（λ）＝Ｓｒｅｆ（λ）−ＳＳＳＬ（λ）
と定義し、
波長３８０ｎｍ以上７８０ｎｍ以内の範囲で、ＳＳＳＬ（λ）の最長波長極大値を与える波長をλＲ（ｎｍ）とした際に、前記λＲよりも長波長側にＳＳＳＬ（λＲ）／２となる波長Λ４が存在する場合においては、
下記数式（１）で表される指標Ａｃｇが−３０以上１２０以下であり、
一方、波長３８０ｎｍ以上７８０ｎｍ以内の範囲で、前記ＳＳＳＬ（λ）の最長波長極大値を与える波長をλＲ（ｎｍ）とした際に、前記λＲよりも長波長側にＳＳＳＬ（λＲ）／２となる波長Λ４が存在しない場合においては、
下記数式（２）で表される指標Ａｃｇが−３０以上１２０以下であり；
【数１】
2018194168.tif 000015
【数２】
2018194168.tif 000016
（ＶＩ）前記第１の発光装置に係る指標ＡｃｇをＡｃｇ（φＳＳＬ１（λ））とし、前記第２の発光装置に係る指標ＡｃｇをＡｃｇ（φＳＳＬ２（λ））としたとき、
Ａｃｇ（φＳＳＬ１（λ））  ＜  Ａｃｇ（φＳＳＬ２（λ））
であることを特徴とする照明システム。
【請求項５】
請求項２〜４のいずれか１項に記載の照明システムであって、
（ＶＩＩ）前記ＤｕｖＳＳＬ１に対する前記ＤｕｖＳＳＬ２の比であるＤｕｖＳＳＬ２／ＤｕｖＳＳＬ１が、０．２５以上０．７５以下を満たすことを特徴とする照明システム。
【請求項６】
更に第３の発光装置を含む、請求項１〜５のいずれか１項に記載の照明システムであって、
前記展示物が展示された空間は少なくとも１つの出入口を備えた閉鎖空間であり、
該第３の発光装置が主として照射する空間は、該出入口のうちの１以上の出入口であり、
該第３の発光装置は、前記第１の発光装置が満たす前記条件のうち少なくとも１つを満たさず、かつ、前記第２の発光装置が満たす前記条件のうち少なくとも１つを満たさない発光装置である、照明システム。
【請求項７】
展示物が展示された空間を照明する照明方法であって、
該照明方法は、第１の発光装置により展示物を主として照射する第１照明ステップ、及び、第２の発光装置により該展示物以外の空間を主として照射する第２照明ステップを含み、
（Ｉ’）前記第１照明ステップにおいて、前記第１の発光装置から出射される光が、展示物を主として照明した際に、前記展示物の位置で測定した光が以下の条件を満たすように照明し：
（Ｉ’−１）Ｄｕｖが−０．０１２０以上−０．００５０以下であり；
（Ｉ’−２）前記展示物の位置で測定した光による照明を数学的に仮定した場合の＃０１から＃１５の下記１５種類の修正マンセル色票のＣＩＥ  １９７６  Ｌ＊ａ＊ｂ＊色空間におけるａ＊値、ｂ＊値をそれぞれａ＊ｎＳＳＬ、ｂ＊ｎＳＳＬ（ただしｎは１から１５の自然数）とし、
前記展示物の位置で測定した光の相関色温度ＴＳＳＬ（Ｋ）に応じて選択される基準の光での照明を数学的に仮定した場合の当該１５種類の修正マンセル色票のＣＩＥ  １９７６  Ｌ＊ａ＊ｂ＊色空間におけるａ＊値、ｂ＊値をそれぞれａ＊ｎｒｅｆ、ｂ＊ｎｒｅｆ（ただしｎは１から１５の自然数）とした場合に、
飽和度差ΔＣｎ（ｎは１から１５の自然数）が−３．８以上１８．６以下を満たし、
ただし、ΔＣｎ（ｎは１から１５の自然数）＝√｛（ａ＊ｎＳＳＬ）２＋（ｂ＊ｎＳＳＬ）２｝−√｛（ａ＊ｎｒｅｆ）２＋（ｂ＊ｎｒｅｆ）２｝であり；
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
（Ｉ’−３）前記ΔＣｎ（ｎは１〜１５のすべての整数）の平均が０．５以上７．０以下であり；
（Ｉ’−４）前記照明ステップに係る飽和度差ΔＣ１４が、
０  ≦  ΔＣ１４
を満たし、
ただし、ΔＣ１４は前記ΔＣｎにおけるｎ＝１４の場合を示すものであり；
（ＩＩ’）前記第２照明ステップにおいて、前記第２の発光装置から出射される光が、前記第１の発光装置が主として照射した前記展示物以外の空間を主として照明した際に、該展示物以外の空間で測定した光が以下の条件を満たすように照明することを特徴とする、照明方法：
（ＩＩ’−１）Ｄｕｖが−０．００７０以上０未満であり；
（ＩＩ’−２）前記展示物以外の空間で測定した光について、前記第１照明ステップの場合と同様に定義される飽和度差ΔＣｎ（ｎは１から１５の自然数）が−３．８以上１８．６以下を満たし；
（ＩＩ’−３）前記ΔＣｎ（ｎは１〜１５のすべての整数）の平均が０．５以上７．０以下であり；
（ＩＩ’−４）前記照明ステップに係る飽和度差ΔＣ１４が、
０  ≦  ΔＣ１４
を満たし、
ただし、ΔＣ１４は前記ΔＣｎにおけるｎ＝１４の場合を示すものであり；
（ＩＩＩ’）前記第１照明ステップに係るΔＣｎ（ｎは１〜１５のすべての整数）の平均をＳＡＴａｖｅ１とし、
前記第２照明ステップに係るΔＣｎ（ｎは１〜１５のすべての整数）の平均をＳＡＴａｖｅ２としたとき、
ＳＡＴａｖｅ２  ＜  ＳＡＴａｖｅ１
を満たすように照明することを特徴とする、照明方法。
【請求項８】
請求項７に記載の照明方法であって、
（ＩＶ’）前記第１照明ステップに係るＤｕｖをＤｕｖＳＳＬ１とし、前記第２照明ステップに係るＤｕｖをＤｕｖＳＳＬ２としたとき、
ＤｕｖＳＳＬ１  ＜  ＤｕｖＳＳＬ２
を満たすように照明することを特徴とする、照明方法。
【請求項９】
請求項７又は８に記載の照明方法であって、
（Ｖ’）前記ＤｕｖＳＳＬ１と前記ＤｕｖＳＳＬ２との差である｜ＤｕｖＳＳＬ２  −  ＤｕｖＳＳＬ１｜が、０より大きく０．００７０以下を満たすように照明することを特徴とする、照明方法。
【請求項１０】
請求項７〜９のいずれか１項に記載の照明方法であって、
（Ｉ’−５）（ＩＩ’−５）前記第１照明ステップにおける前記展示物の位置で測定した光、及び、前記第２照明ステップにおける、前記第１の発光装置が主として照射した前記展示物以外の空間で測定した光について、
分光分布をφＳＳＬ（λ）、相関色温度ＴＳＳＬ（Ｋ）に応じて選択される基準の光の分光分布をφｒｅｆ（λ）、三刺激値を（ＸＳＳＬ、ＹＳＳＬ、ＺＳＳＬ）、相関色温度ＴＳＳＬ（Ｋ）に応じて選択される基準の光の三刺激値を（Ｘｒｅｆ、Ｙｒｅｆ、Ｚｒｅｆ）とし、
規格化分光分布ＳＳＳＬ（λ）と、相関色温度ＴＳＳＬ（Ｋ）に応じて選択される基準の光の規格化分光分布Ｓｒｅｆ（λ）と、これら規格化分光分布の差ΔＳＳＳＬ（λ）をそれぞれ、
ＳＳＳＬ（λ）＝φＳＳＬ（λ）／ＹＳＳＬ
Ｓｒｅｆ（λ）＝φｒｅｆ（λ）／Ｙｒｅｆ
ΔＳＳＳＬ（λ）＝Ｓｒｅｆ（λ）−ＳＳＳＬ（λ）
と定義し、
波長３８０ｎｍ以上７８０ｎｍ以内の範囲で、ＳＳＳＬ（λ）の最長波長極大値を与える波長をλＲ（ｎｍ）とした際に、前記λＲよりも長波長側にＳＳＳＬ（λＲ）／２となる波長Λ４が存在する場合においては、
下記数式（１）で表される指標Ａｃｇが−３０以上１２０以下であり、
一方、波長３８０ｎｍ以上７８０ｎｍ以内の範囲で、前記ＳＳＳＬ（λ）の最長波長極大値を与える波長をλＲ（ｎｍ）とした際に、前記λＲよりも長波長側にＳＳＳＬ（λＲ）／２となる波長Λ４が存在しない場合においては、
下記数式（２）で表される指標Ａｃｇが−３０以上１２０以下であり；
【数３】
2018194168.tif 000017
【数４】
2018194168.tif 000018
（ＶＩ’）前記第１照明ステップに係る指標ＡｃｇをＡｃｇ（φＳＳＬ１（λ））とし、前記第２照明ステップに係る指標ＡｃｇをＡｃｇ（φＳＳＬ２（λ））としたとき、
Ａｃｇ（φＳＳＬ１（λ））  ＜  Ａｃｇ（φＳＳＬ２（λ））
を満たすように照明することを特徴とする、照明方法。
【請求項１１】
請求項８〜１０のいずれか１項に記載の照明方法であって、
（ＶＩＩ’）前記ＤｕｖＳＳＬ１に対する前記ＤｕｖＳＳＬ２の比であるＤｕｖＳＳＬ２／ＤｕｖＳＳＬ１が、０．２５以上０．７５以下を満たすように照明することを特徴とする、照明方法。
【請求項１２】
請求項７〜１１のいずれか１項に記載の照明方法であって、
前記展示物が展示された空間は少なくとも１つの出入口を備えた閉鎖空間であり、
更に、第３の発光装置により該出入口のうちの１以上の出入口を主として照射する第３照明ステップを含み、
該第３の発光装置は、前記第１の発光装置が満たす前記条件のうち少なくとも１つを満たさず、かつ、前記第２の発光装置が満たす前記条件のうち少なくとも１つを満たさない発光装置である、照明方法。
【請求項１３】
展示物が展示された空間を照明する照明システムであって、
該照明システムは、展示物を主として照射する第１の発光装置、該展示物以外の空間を主として照射する第２の発光装置、及び、該展示物が展示された空間の周辺の空間を主として照射する第４の発光装置を含み、
（Ｉ）前記第１の発光装置は、発光要素を内在する発光装置であって、
（Ｉ−１）前記発光装置から出射される光は、Ｄｕｖが−０．０１２０以上−０．００５０以下となる光を主たる放射方向に含み；
（Ｉ−２）前記発光装置から当該放射方向に出射される光による照明を数学的に仮定した場合の＃０１から＃１５の下記１５種類の修正マンセル色票のＣＩＥ  １９７６  Ｌ＊ａ＊ｂ＊色空間におけるａ＊値、ｂ＊値をそれぞれａ＊ｎＳＳＬ、ｂ＊ｎＳＳＬ（ただしｎは１から１５の自然数）とし、
当該放射方向に出射される光の相関色温度ＴＳＳＬ（Ｋ）に応じて選択される基準の光での照明を数学的に仮定した場合の当該１５種類の修正マンセル色票のＣＩＥ  １９７６  Ｌ＊ａ＊ｂ＊色空間におけるａ＊値、ｂ＊値をそれぞれａ＊ｎｒｅｆ、ｂ＊ｎｒｅｆ（ただしｎは１から１５の自然数）とした場合に、
前記発光装置から当該放射方向に出射される光は、
飽和度差ΔＣｎ（ｎは１から１５の自然数）が−３．８以上１８．６以下を満たし、
ただし、ΔＣｎ（ｎは１から１５の自然数）＝√｛（ａ＊ｎＳＳＬ）２＋（ｂ＊ｎＳＳＬ）２｝−√｛（ａ＊ｎｒｅｆ）２＋（ｂ＊ｎｒｅｆ）２｝であり；
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
（Ｉ−３）前記ΔＣｎ（ｎは１〜１５のすべての整数）の平均が０．５以上７．０以下であり；
（ＩＩ）前記第２の発光装置は、発光要素を内在する発光装置であって、
（ＩＩ−１）前記発光装置から出射される光は、Ｄｕｖが−０．００７０以上０未満となる光を主たる放射方向に含み；
（ＩＩ−２）前記発光装置から当該放射方向に出射される光は、前記第１の発光装置の場合と同様に定義されるΔＣｎ（ｎは１から１５の自然数）が−３．８以上１８．６以下を満たし；
（ＩＩ−３）前記ΔＣｎ（ｎは１〜１５のすべての整数）の平均が０．５以上７．０以下であり；
（ＩＩＩ）前記第１の発光装置に係るΔＣｎ（ｎは１〜１５のすべての整数）の平均をＳＡＴａｖｅ１とし、
前記第２の発光装置に係るΔＣｎ（ｎは１〜１５のすべての整数）の平均をＳＡＴａｖｅ２としたとき、
ＳＡＴａｖｅ２  ＜  ＳＡＴａｖｅ１
を満たし；
前記第１の発光装置、前記第２の発光装置、及び、前記第４の発光装置は、下記条件（ＩＸ−１）乃至条件（ＩＸ−４）の少なくとも１つを満たすことを特徴とする照明システム。
（ＩＸ−１）
前記第１の発光装置に係るＤｕｖをＤｕｖＳＳＬ１とし、前記第２の発光装置に係るＤｕｖをＤｕｖＳＳＬ２とし、前記第４の発光装置に係るＤｕｖをＤｕｖＳＳＬ４としたとき、
ＤｕｖＳＳＬ１  ＜  ＤｕｖＳＳＬ２  ＜  ＤｕｖＳＳＬ４
である。
（ＩＸ−２）
ＤｕｖＳＳＬ２  ＝  ＤｕｖＳＳＬ１  ＋（ＤｕｖＳＳＬ４  −  ＤｕｖＳＳＬ１）×｛（１／２）±ｘ｝
である。
ただし、ｘは０．３５以下である。
（ＩＸ−３）
前記第１の発光装置の場合と同様に定義される、前記第４の発光装置に係るΔＣｎ（ｎは１〜１５のすべての整数）の平均をＳＡＴａｖｅ４としたとき、
ＳＡＴａｖｅ４  ＜  ＳＡＴａｖｅ２  ＜  ＳＡＴａｖｅ１
である。
（ＩＸ−４）
ＳＡＴａｖｅ２  ＝  ＳＡＴａｖｅ１  ＋（ＳＡＴａｖｅ４  −  ＳＡＴａｖｅ１）×｛（１／２）±ｘ｝
である。
ただし、ｘは０．３５以下である。
【請求項１４】
請求項１３に記載の照明システムであって、
（Ｉ−４）前記第１の発光装置に係る飽和度差ΔＣ１４が、
０  ≦  ΔＣ１４
を満たすことを特徴とする照明システム。
ただし、ΔＣ１４は前記ΔＣｎにおけるｎ＝１４の場合を示すものである。
【請求項１５】
請求項１３又は１４に記載の照明システムであって、
（ＩＩ−４）前記第２の発光装置に係る飽和度差ΔＣ１４が、
０  ≦  ΔＣ１４
を満たすことを特徴とする照明システム。
ただし、ΔＣ１４は前記ΔＣｎにおけるｎ＝１４の場合を示すものである。
【請求項１６】
請求項１３〜１５のいずれか１項に記載の照明システムであって、
前記第１の発光装置、前記第２の発光装置、及び、前記第４の発光装置は、前記条件（ＩＸ−１）及び条件（ＩＸ−２）を共に満たすことを特徴とする照明システム。
【請求項１７】
請求項１３〜１５のいずれか１項に記載の照明システムであって、
前記第１の発光装置、前記第２の発光装置、及び、前記第４の発光装置は、前記条件（ＩＸ−３）及び条件（ＩＸ−４）を共に満たすことを特徴とする照明システム。
【請求項１８】
請求項１３〜１５のいずれか１項に記載の照明システムであって、
前記第１の発光装置、前記第２の発光装置、及び、前記第４の発光装置は、前記条件（ＩＸ−１）乃至条件（ＩＸ−４）をすべて満たすことを特徴とする照明システム。
【請求項１９】
請求項１３〜１８のいずれか１項に記載の照明システムであって、
前記第１の発光装置、前記第２の発光装置、及び、前記第４の発光装置は、下記条件（ＩＸ−５）を満たすことを特徴とする照明システム。
（ＩＸ−５）
前記第１の発光装置から当該放射方向に出射される光の相関色温度をＴＳＳＬ１（Ｋ）とし、
前記第２の発光装置から当該放射方向に出射される光の相関色温度をＴＳＳＬ２（Ｋ）とし、
前記第４の発光装置から当該放射方向に出射される光の相関色温度をＴＳＳＬ４（Ｋ）とし、
該ＴＳＳＬ１（Ｋ）と該ＴＳＳＬ４（Ｋ）とを比較した際に、大きい方をＴＳＳＬ−Ｈ（Ｋ）とし、小さい方をＴＳＳＬ−Ｌ（Ｋ）とし、
該ＴＳＳＬ−Ｈ（Ｋ）の逆数の１００万倍をＭｉｒｅｄ−Ｈ（Ｋ−１）とし、該ＴＳＳＬ−Ｌ（Ｋ）の逆数の１００万倍をＭｉｒｅｄ−Ｌ（Ｋ−１）とし、該ＴＳＳＬ２（Ｋ）の逆数の１００万倍をＭｉｒｅｄ−２（Ｋ−１）としたときに、
Ｍｉｒｅｄ−２（Ｋ−１）  ＝  Ｍｉｒｅｄ−Ｌ（Ｋ−１）  ＋（Ｍｉｒｅｄ−Ｈ（Ｋ−１）  −  Ｍｉｒｅｄ−Ｌ（Ｋ−１））×｛（１／２）±ｘ｝
である。
ただし、ｘは０．３５以下である。
【請求項２０】
展示物が展示された空間を照明する照明方法であって、
該照明方法は、第１の発光装置により展示物を主として照射する第１照明ステップ、第２の発光装置により該展示物以外の空間を主として照射する第２照明ステップ、及び、第４の発光装置により該展示物が展示された空間の周辺の空間を主として照射する第４照明ステップを含み、
（Ｉ’）前記第１照明ステップにおいて、前記第１の発光装置から出射される光が、展示物を主として照明した際に、前記展示物の位置で測定した光が以下の条件を満たすように照明し：
（Ｉ’−１）Ｄｕｖが−０．０１２０以上−０．００５０以下であり；
（Ｉ’−２）前記展示物の位置で測定した光による照明を数学的に仮定した場合の＃０１から＃１５の下記１５種類の修正マンセル色票のＣＩＥ  １９７６  Ｌ＊ａ＊ｂ＊色空間におけるａ＊値、ｂ＊値をそれぞれａ＊ｎＳＳＬ、ｂ＊ｎＳＳＬ（ただしｎは１から１５の自然数）とし、
前記展示物の位置で測定した光の相関色温度ＴＳＳＬ（Ｋ）に応じて選択される基準の光での照明を数学的に仮定した場合の当該１５種類の修正マンセル色票のＣＩＥ  １９７６  Ｌ＊ａ＊ｂ＊色空間におけるａ＊値、ｂ＊値をそれぞれａ＊ｎｒｅｆ、ｂ＊ｎｒｅｆ（ただしｎは１から１５の自然数）とした場合に、
飽和度差ΔＣｎ（ｎは１から１５の自然数）が−３．８以上１８．６以下を満たし、
ただし、ΔＣｎ（ｎは１から１５の自然数）＝√｛（ａ＊ｎＳＳＬ）２＋（ｂ＊ｎＳＳＬ）２｝−√｛（ａ＊ｎｒｅｆ）２＋（ｂ＊ｎｒｅｆ）２｝であり；
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
（Ｉ’−３）前記ΔＣｎ（ｎは１〜１５のすべての整数）の平均が０．５以上７．０以下であり；
（ＩＩ’）前記第２照明ステップにおいて、前記第２の発光装置から出射される光が、前記第１の発光装置が主として照射した前記展示物以外の空間を主として照明した際に、該展示物以外の空間で測定した光が以下の条件を満たすように照明し：
（ＩＩ’−１）Ｄｕｖが−０．００７０以上０未満であり；
（ＩＩ’−２）前記展示物以外の空間で測定した光について、前記第１照明ステップの場合と同様に定義される飽和度差ΔＣｎ（ｎは１から１５の自然数）が−３．８以上１８．６以下を満たし；
（ＩＩ’−３）前記ΔＣｎ（ｎは１〜１５のすべての整数）の平均が０．５以上７．０以下であり；
（ＩＩＩ’）前記第１照明ステップに係るΔＣｎ（ｎは１〜１５のすべての整数）の平均をＳＡＴａｖｅ１とし、
前記第２照明ステップに係るΔＣｎ（ｎは１〜１５のすべての整数）の平均をＳＡＴａｖｅ２としたとき、
ＳＡＴａｖｅ２  ＜  ＳＡＴａｖｅ１
を満たし；
前記第１照明ステップにおいて、前記第１の発光装置から出射される光が、展示物を主として照明した際の、前記展示物の位置で測定した光、
前記第２照明ステップにおいて、前記第２の発光装置から出射される光が、前記第１の発光装置が主として照射した前記展示物以外の空間を主として照明した際の、該展示物以外の空間で測定した光、及び、
前記第４照明ステップにおいて、前記第４の発光装置から出射される光が、該展示物が展示された空間の周辺の空間を主として照明した際の、該周辺の空間で測定した光が、
下記条件（ＩＸ’−１）乃至条件（ＩＸ’−４）の少なくとも１つを満たすように照明することを特徴とする照明方法。
（ＩＸ’−１）
前記第１照明ステップに係るＤｕｖをＤｕｖＳＳＬ１とし、前記第２照明ステップに係るＤｕｖをＤｕｖＳＳＬ２とし、前記第４照明ステップに係るＤｕｖをＤｕｖＳＳＬ４としたとき、
ＤｕｖＳＳＬ１  ＜  ＤｕｖＳＳＬ２  ＜  ＤｕｖＳＳＬ４
である。
（ＩＸ’−２）
ＤｕｖＳＳＬ２  ＝  ＤｕｖＳＳＬ１  ＋（ＤｕｖＳＳＬ４  −  ＤｕｖＳＳＬ１）×｛（１／２）±ｘ｝
である。
ただし、ｘは０．３５以下である。
（ＩＸ’−３）
前記第１照明ステップの場合と同様に定義される、前記第４照明ステップに係るΔＣｎ（ｎは１〜１５のすべての整数）の平均をＳＡＴａｖｅ４としたとき、
ＳＡＴａｖｅ４  ＜  ＳＡＴａｖｅ２  ＜  ＳＡＴａｖｅ１
である。
（ＩＸ’−４）
ＳＡＴａｖｅ２  ＝  ＳＡＴａｖｅ１  ＋（ＳＡＴａｖｅ４  −  ＳＡＴａｖｅ１）×｛（１／２）±ｘ｝
である。
ただし、ｘは０．３５以下である。
【請求項２１】
請求項２０に記載の照明方法であって、
（Ｉ’−４）前記第１照明ステップに係る飽和度差ΔＣ１４が、
０  ≦  ΔＣ１４
を満たすことを特徴とする照明方法。
ただし、ΔＣ１４は前記ΔＣｎにおけるｎ＝１４の場合を示すものである。
【請求項２２】
請求項２０又は２１に記載の照明方法であって、
（ＩＩ’−４）前記第２照明ステップに係る飽和度差ΔＣ１４が、
０  ≦  ΔＣ１４
を満たすことを特徴とする照明方法。
ただし、ΔＣ１４は前記ΔＣｎにおけるｎ＝１４の場合を示すものである。
【請求項２３】
請求項２０〜２２のいずれか１項に記載の照明方法であって、
前記第１照明ステップにおいて、前記第１の発光装置から出射される光が、展示物を主として照明した際の、前記展示物の位置で測定した光、
前記第２照明ステップにおいて、前記第２の発光装置から出射される光が、前記第１の発光装置が主として照射した前記展示物以外の空間を主として照明した際の、該展示物以外の空間で測定した光、及び、
前記第４照明ステップにおいて、前記第４の発光装置から出射される光が、該展示物が展示された空間の周辺の空間を主として照明した際の、該周辺の空間で測定した光が、
前記条件（ＩＸ’−１）及び条件（ＩＸ’−２）を共に満たすことを特徴とする照明方法。
【請求項２４】
請求項２０〜２２のいずれか１項に記載の照明方法であって、
前記第１照明ステップにおいて、前記第１の発光装置から出射される光が、展示物を主として照明した際の、前記展示物の位置で測定した光、
前記第２照明ステップにおいて、前記第２の発光装置から出射される光が、前記第１の発光装置が主として照射した前記展示物以外の空間を主として照明した際の、該展示物以外の空間で測定した光、及び、
前記第４照明ステップにおいて、前記第４の発光装置から出射される光が、該展示物が展示された空間の周辺の空間を主として照明した際の、該周辺の空間で測定した光が、
前記条件（ＩＸ’−３）及び条件（ＩＸ’−４）を共に満たすことを特徴とする照明方法。
【請求項２５】
請求項２０〜２２のいずれか１項に記載の照明方法であって、
前記第１照明ステップにおいて、前記第１の発光装置から出射される光が、展示物を主として照明した際の、前記展示物の位置で測定した光、
前記第２照明ステップにおいて、前記第２の発光装置から出射される光が、前記第１の発光装置が主として照射した前記展示物以外の空間を主として照明した際の、該展示物以外の空間で測定した光、及び、
前記第４照明ステップにおいて、前記第４の発光装置から出射される光が、該展示物が展示された空間の周辺の空間を主として照明した際の、該周辺の空間で測定した光が、
前記条件（ＩＸ’−１）乃至条件（ＩＸ’−４）をすべて満たすことを特徴とする照明方法。
【請求項２６】
請求項２０〜２５のいずれか１項に記載の照明方法であって、
前記第１照明ステップにおいて、前記第１の発光装置から出射される光が、展示物を主として照明した際の、前記展示物の位置で測定した光、
前記第２照明ステップにおいて、前記第２の発光装置から出射される光が、前記第１の発光装置が主として照射した前記展示物以外の空間を主として照明した際の、該展示物以外の空間で測定した光、及び、
前記第４照明ステップにおいて、前記第４の発光装置から出射される光が、該展示物が展示された空間の周辺の空間を主として照明した際の、該周辺の空間で測定した光が、
下記条件（ＩＸ’−５）を満たすことを特徴とする照明方法。
（ＩＸ’−５）
前記第１照明ステップにおいて、前記第１の発光装置から出射される光が、展示物を主として照明した際の、前記展示物の位置で測定した光の相関色温度をＴＳＳＬ１（Ｋ）とし、
前記第２照明ステップにおいて、前記第２の発光装置から出射される光が、前記第１の発光装置が主として照射した前記展示物以外の空間を主として照明した際の、該展示物以外の空間で測定した光の相関色温度をＴＳＳＬ２（Ｋ）とし、
前記第４照明ステップにおいて、前記第４の発光装置から出射される光が、該展示物が展示された空間の周辺の空間を主として照明した際の、該周辺の空間で測定した光の相関色温度をＴＳＳＬ４（Ｋ）とし、
該ＴＳＳＬ１（Ｋ）と該ＴＳＳＬ４（Ｋ）とを比較した際に、大きい方をＴＳＳＬ−Ｈ（Ｋ）とし、小さい方をＴＳＳＬ−Ｌ（Ｋ）とし、
該ＴＳＳＬ−Ｈ（Ｋ）の逆数の１００万倍をＭｉｒｅｄ−Ｈ（Ｋ−１）とし、該ＴＳＳＬ−Ｌ（Ｋ）の逆数の１００万倍をＭｉｒｅｄ−Ｌ（Ｋ−１）とし、該ＴＳＳＬ２（Ｋ）の逆数の１００万倍をＭｉｒｅｄ−２（Ｋ−１）としたときに、
Ｍｉｒｅｄ−２（Ｋ−１）  ＝  Ｍｉｒｅｄ−Ｌ（Ｋ−１）  ＋（Ｍｉｒｅｄ−Ｈ（Ｋ−１）  −  Ｍｉｒｅｄ−Ｌ（Ｋ−１））×｛（１／２）±ｘ｝
である。
ただし、ｘは０．３５以下である。
【発明の詳細な説明】
【技術分野】
【０００１】
本発明は、展示物が展示された空間を照明する照明システム及び照明方法に関する。
【背景技術】
【０００２】
ＣＩＥで定義された基準の光で照明された場合や、基準の光に近接した色の見えとなり高Ｒａかつ高Ｒｉである光を放射する発光装置で照明した場合等に比較して、ほぼ同様の相関色温度（Correlated Color Temperature, CCT）、ほぼ同様の照度であっても、統計的に多数の被験者がより良いと判断する真に良好な物体の色の見えを実現可能な照明方法及び発光装置が開発されている。該照明方法による照明や該発光装置を用いた照明は、VIVID照明などと称されることがある。このようなVIVID照明は、応用分野が非常に広く、例えば、衣料品、食品、車、かばん、靴、装飾品、家具等の展示物用照明として好ましいことが報告されている（特許文献１及び２）。【０００３】
一方で、特許文献１及び２にも記載されている通り、ＡＮＳＩ  Ｃ７８．３７７で定義される黒体放射軌跡からの距離Ｄｕｖが正に偏ると白色は緑かかって見え、Ｄｕｖが負の場合には白色は赤み（桃色）がかって見えるとされ、Ｄｕｖが０近傍から離れると色の見えは全体に不自然に見えるとされている。
【先行技術文献】
【特許文献】
【０００４】
【特許文献１】日本特許第５２５７５３８号明細書
【特許文献２】日本特許第５２５２１０７号明細書
【発明の概要】
【発明が解決しようとする課題】
【０００５】
Ｄｕｖが０から負に大きく離れたVIVID照明で展示物を含む空間を照射する（展示物を主として照射する）場合であって、例えば、
（ｉ）該VIVID照明だけで該空間を照射する場合や、（ｉｉ）該VIVID照明で照射された該空間と、白熱電球や蛍光灯など従来から用いられている白色LED照明で照射された空間とが隣接している（光野が一部重複している場合も含む。）場合には、該VIVID照明で照射された該空間を薄桃色がかっていると知覚することがある。また、該VIVID照明で照射された該空間に他方の空間から移動した場合に、該VIVID照明で照射された該空間を薄桃色がかっていると知覚し、違和感を覚える場合がある。
本発明は、Ｄｕｖが０から負に大きく離れたVIVID照明で照射された、展示物を含む空間を薄桃色がかっていると知覚しないようにする照明システム及び照明方法を提供する。
【課題を解決するための手段】
【０００６】
本発明者等は、以下の手段により上記課題が解決できることを見出した。すなわち、  上記（ｉ）については、Ｄｕｖが０から負に大きく離れたVIVID照明に加え、Ｄｕｖが負であって、該VIVID照明のＤｕｖよりもＤｕｖが大きいVIVID照明を用いる。
上記（ｉｉ）については、Ｄｕｖが０から負に大きく離れたVIVID照明と、白熱電球や蛍光灯など従来から用いられている白色LED照明とに加え、Ｄｕｖが負であって、該VIVID照明のＤｕｖよりもＤｕｖが大きいVIVID照明を用いる。【０００７】
本発明は、具体的には以下の通りである。
〔１〕展示物が展示された空間を照明する照明システムであって、
該照明システムは、展示物を主として照射する第１の発光装置、及び、該展示物以外の空間を主として照射する第２の発光装置を含み、
（Ｉ）前記第１の発光装置は、発光要素を内在する発光装置であって、
（Ｉ−１）前記発光装置から出射される光は、Ｄｕｖが−０．０１２０以上−０．００５０以下となる光を主たる放射方向に含み；
（Ｉ−２）前記発光装置から当該放射方向に出射される光による照明を数学的に仮定した場合の＃０１から＃１５の下記１５種類の修正マンセル色票のＣＩＥ  １９７６  Ｌ＊ａ＊ｂ＊色空間におけるａ＊値、ｂ＊値をそれぞれａ＊ｎＳＳＬ、ｂ＊ｎＳＳＬ（ただしｎは１から１５の自然数）とし、
当該放射方向に出射される光の相関色温度ＴＳＳＬ（Ｋ）に応じて選択される基準の光での照明を数学的に仮定した場合の当該１５種類の修正マンセル色票のＣＩＥ  １９７６  Ｌ＊ａ＊ｂ＊色空間におけるａ＊値、ｂ＊値をそれぞれａ＊ｎｒｅｆ、ｂ＊ｎｒｅｆ（ただしｎは１から１５の自然数）とした場合に、
前記発光装置から当該放射方向に出射される光は、
飽和度差ΔＣｎ（ｎは１から１５の自然数）が−３．８以上１８．６以下を満たし、
ただし、ΔＣｎ（ｎは１から１５の自然数）＝√｛（ａ＊ｎＳＳＬ）２＋（ｂ＊ｎＳＳＬ）２｝−√｛（ａ＊ｎｒｅｆ）２＋（ｂ＊ｎｒｅｆ）２｝であり；
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
（Ｉ−３）前記ΔＣｎ（ｎは１〜１５のすべての整数）の平均が０．５以上７．０以下であり；
（Ｉ−４）前記発光装置に係る飽和度差ΔＣ１４が、
０  ≦  ΔＣ１４
を満たし、
ただし、ΔＣ１４は前記ΔＣｎにおけるｎ＝１４の場合を示すものであり；
（ＩＩ）前記第２の発光装置は、発光要素を内在する発光装置であって、
（ＩＩ−１）前記発光装置から出射される光は、Ｄｕｖが−０．００７０以上０未満となる光を主たる放射方向に含み；
（ＩＩ−２）前記発光装置から当該放射方向に出射される光は、前記第１の発光装置の場合と同様に定義されるΔＣｎ（ｎは１から１５の自然数）が−３．８以上１８．６以下を満たし；
（ＩＩ−３）前記ΔＣｎ（ｎは１〜１５のすべての整数）の平均が０．５以上７．０以下であり；
（ＩＩ−４）前記発光装置に係る飽和度差ΔＣ１４が、
０  ≦  ΔＣ１４
を満たし、
ただし、ΔＣ１４は前記ΔＣｎにおけるｎ＝１４の場合を示すものであり；
（ＩＩＩ）前記第１の発光装置に係るΔＣｎ（ｎは１〜１５のすべての整数）の平均をＳＡＴａｖｅ１とし、
前記第２の発光装置に係るΔＣｎ（ｎは１〜１５のすべての整数）の平均をＳＡＴａｖｅ２としたとき、
ＳＡＴａｖｅ２  ＜  ＳＡＴａｖｅ１
を満たすことを特徴とする照明システム。【０００８】
〔２〕〔１〕に記載の照明システムであって、
（ＩＶ）前記第１の発光装置に係るＤｕｖをＤｕｖＳＳＬ１とし、前記第２の発光装置に係るＤｕｖをＤｕｖＳＳＬ２としたとき、
ＤｕｖＳＳＬ１  ＜  ＤｕｖＳＳＬ２
を満たすことを特徴とする照明システム。【０００９】
〔３〕〔１〕又は〔２〕に記載の照明システムであって、
（Ｖ）前記ＤｕｖＳＳＬ１と前記ＤｕｖＳＳＬ２との差である｜ＤｕｖＳＳＬ２  −  ＤｕｖＳＳＬ１｜が、０より大きく０．００７０以下を満たすことを特徴とする照明システム。【００１０】
〔４〕〔１〕〜〔３〕のいずれかに記載の照明システムであって、
前記第１及び第２の発光装置は、
（Ｉ−５）（ＩＩ−５）前記発光装置から当該放射方向に出射される光の分光分布をφＳＳＬ（λ）、前記発光装置から当該放射方向に出射される光の相関色温度ＴＳＳＬ（Ｋ）に応じて選択される基準の光の分光分布をφｒｅｆ（λ）、前記発光装置から当該放射方向に出射される光の三刺激値を（ＸＳＳＬ、ＹＳＳＬ、ＺＳＳＬ）、前記発光装置から当該放射方向に出射される光の相関色温度ＴＳＳＬ（Ｋ）に応じて選択される基準の光の三刺激値を（Ｘｒｅｆ、Ｙｒｅｆ、Ｚｒｅｆ）とし、
前記発光装置から当該放射方向に出射される光の規格化分光分布ＳＳＳＬ（λ）と、前記発光装置から当該放射方向に出射される光の相関色温度ＴＳＳＬ（Ｋ）に応じて選択される基準の光の規格化分光分布Ｓｒｅｆ（λ）と、これら規格化分光分布の差ΔＳＳＳＬ（λ）をそれぞれ、
ＳＳＳＬ（λ）＝φＳＳＬ（λ）／ＹＳＳＬ
Ｓｒｅｆ（λ）＝φｒｅｆ（λ）／Ｙｒｅｆ
ΔＳＳＳＬ（λ）＝Ｓｒｅｆ（λ）−ＳＳＳＬ（λ）
と定義し、
波長３８０ｎｍ以上７８０ｎｍ以内の範囲で、ＳＳＳＬ（λ）の最長波長極大値を与える波長をλＲ（ｎｍ）とした際に、前記λＲよりも長波長側にＳＳＳＬ（λＲ）／２となる波長Λ４が存在する場合においては、
下記数式（１）で表される指標Ａｃｇが−３０以上１２０以下であり、
一方、波長３８０ｎｍ以上７８０ｎｍ以内の範囲で、前記ＳＳＳＬ（λ）の最長波長極大値を与える波長をλＲ（ｎｍ）とした際に、前記λＲよりも長波長側にＳＳＳＬ（λＲ）／２となる波長Λ４が存在しない場合においては、
下記数式（２）で表される指標Ａｃｇが−３０以上１２０以下であり；
【数１】
2018194168.tif 000003
【数２】
2018194168.tif 000004
（ＶＩ）前記第１の発光装置に係る指標ＡｃｇをＡｃｇ（φＳＳＬ１（λ））とし、前記第２の発光装置に係る指標ＡｃｇをＡｃｇ（φＳＳＬ２（λ））としたとき、
Ａｃｇ（φＳＳＬ１（λ））  ＜  Ａｃｇ（φＳＳＬ2（λ））
であることを特徴とする照明システム。【００１１】
〔５〕〔２〕〜〔４〕のいずれかに記載の照明システムであって、
（ＶＩＩ）前記ＤｕｖＳＳＬ１に対する前記ＤｕｖＳＳＬ２の比であるＤｕｖＳＳＬ２／ＤｕｖＳＳＬ１が、０．２５以上０．７５以下を満たすことを特徴とする照明システム。【００１２】
〔６〕更に第３の発光装置を含む、〔１〕〜〔５〕のいずれかに記載の照明システムであって、
前記展示物が展示された空間は少なくとも１つの出入口を備えた閉鎖空間であり、
該第３の発光装置が主として照射する空間は、該出入口のうちの１以上の出入口であり、
該第３の発光装置は、前記第１の発光装置が満たす前記条件のうち少なくとも１つを満たさず、かつ、前記第２の発光装置が満たす前記条件のうち少なくとも１つを満たさない発光装置である、照明システム。【００１３】
〔７〕展示物が展示された空間を照明する照明方法であって、
該照明方法は、第１の発光装置により展示物を主として照射する第１照明ステップ、及び、第２の発光装置により該展示物以外の空間を主として照射する第２照明ステップを含み、
（Ｉ’）前記第１照明ステップにおいて、前記第１の発光装置から出射される光が、展示物を主として照明した際に、前記展示物の位置で測定した光が以下の条件を満たすように照明し：
（Ｉ’−１）Ｄｕｖが−０．０１２０以上−０．００５０以下であり；
（Ｉ’−２）前記展示物の位置で測定した光による照明を数学的に仮定した場合の＃０１から＃１５の下記１５種類の修正マンセル色票のＣＩＥ  １９７６  Ｌ＊ａ＊ｂ＊色空間におけるａ＊値、ｂ＊値をそれぞれａ＊ｎＳＳＬ、ｂ＊ｎＳＳＬ（ただしｎは１から１５の自然数）とし、
前記展示物の位置で測定した光の相関色温度ＴＳＳＬ（Ｋ）に応じて選択される基準の光での照明を数学的に仮定した場合の当該１５種類の修正マンセル色票のＣＩＥ  １９７６  Ｌ＊ａ＊ｂ＊色空間におけるａ＊値、ｂ＊値をそれぞれａ＊ｎｒｅｆ、ｂ＊ｎｒｅｆ（ただしｎは１から１５の自然数）とした場合に、
飽和度差ΔＣｎ（ｎは１から１５の自然数）が−３．８以上１８．６以下を満たし、
ただし、ΔＣｎ（ｎは１から１５の自然数）＝√｛（ａ＊ｎＳＳＬ）２＋（ｂ＊ｎＳＳＬ）２｝−√｛（ａ＊ｎｒｅｆ）２＋（ｂ＊ｎｒｅｆ）２｝であり；
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
（Ｉ’−３）前記ΔＣｎ（ｎは１〜１５のすべての整数）の平均が０．５以上７．０以下であり；
（Ｉ’−４）前記照明ステップに係る飽和度差ΔＣ１４が、
０  ≦  ΔＣ１４
を満たし、
ただし、ΔＣ１４は前記ΔＣｎにおけるｎ＝１４の場合を示すものであり；
（ＩＩ’）前記第２照明ステップにおいて、前記第２の発光装置から出射される光が、前記第１の発光装置が主として照射した前記展示物以外の空間を主として照明した際に、該展示物以外の空間で測定した光が以下の条件を満たすように照明することを特徴とする、照明方法：
（ＩＩ’−１）Ｄｕｖが−０．００７０以上０未満であり；
（ＩＩ’−２）前記展示物以外の空間で測定した光について、前記第１照明ステップの場合と同様に定義される飽和度差ΔＣｎ（ｎは１から１５の自然数）が−３．８以上１８．６以下を満たし；
（ＩＩ’−３）前記ΔＣｎ（ｎは１〜１５のすべての整数）の平均が０．５以上７．０以下であり；
（ＩＩ’−４）前記照明ステップに係る飽和度差ΔＣ１４が、
０  ≦  ΔＣ１４
を満たし、
ただし、ΔＣ１４は前記ΔＣｎにおけるｎ＝１４の場合を示すものであり；
（ＩＩＩ’）前記第１照明ステップに係るΔＣｎ（ｎは１〜１５のすべての整数）の平均をＳＡＴａｖｅ１とし、
前記第２照明ステップに係るΔＣｎ（ｎは１〜１５のすべての整数）の平均をＳＡＴａｖｅ２としたとき、
ＳＡＴａｖｅ２  ＜  ＳＡＴａｖｅ１
を満たすように照明することを特徴とする、照明方法。【００１４】
〔８〕〔７〕に記載の照明方法であって、
（ＩＶ’）前記第１照明ステップに係るＤｕｖをＤｕｖＳＳＬ１とし、前記第２照明ステップに係るＤｕｖをＤｕｖＳＳＬ２としたとき、
ＤｕｖＳＳＬ１  ＜  ＤｕｖＳＳＬ２
を満たすように照明することを特徴とする、照明方法。【００１５】
〔９〕〔７〕又は〔８〕に記載の照明方法であって、
（Ｖ’）前記ＤｕｖＳＳＬ１と前記ＤｕｖＳＳＬ２との差である｜ＤｕｖＳＳＬ２  −  ＤｕｖＳＳＬ１｜が、０より大きく０．００７０以下を満たすように照明することを特徴とする、照明方法。【００１６】
〔１０〕〔７〕〜〔９〕のいずれかに記載の照明方法であって、
（Ｉ’−５）（ＩＩ’−５）前記第１照明ステップにおける前記展示物の位置で測定した光、及び、前記第２照明ステップにおける、前記第１の発光装置が主として照射した前記展示物以外の空間で測定した光について、
分光分布をφＳＳＬ（λ）、相関色温度ＴＳＳＬ（Ｋ）に応じて選択される基準の光の分光分布をφｒｅｆ（λ）、三刺激値を（ＸＳＳＬ、ＹＳＳＬ、ＺＳＳＬ）、相関色温度ＴＳＳＬ（Ｋ）に応じて選択される基準の光の三刺激値を（Ｘｒｅｆ、Ｙｒｅｆ、Ｚｒｅｆ）とし、
規格化分光分布ＳＳＳＬ（λ）と、相関色温度ＴＳＳＬ（Ｋ）に応じて選択される基準の光の規格化分光分布Ｓｒｅｆ（λ）と、これら規格化分光分布の差ΔＳＳＳＬ（λ）をそれぞれ、
ＳＳＳＬ（λ）＝φＳＳＬ（λ）／ＹＳＳＬ
Ｓｒｅｆ（λ）＝φｒｅｆ（λ）／Ｙｒｅｆ
ΔＳＳＳＬ（λ）＝Ｓｒｅｆ（λ）−ＳＳＳＬ（λ）
と定義し、
波長３８０ｎｍ以上７８０ｎｍ以内の範囲で、ＳＳＳＬ（λ）の最長波長極大値を与える波長をλＲ（ｎｍ）とした際に、前記λＲよりも長波長側にＳＳＳＬ（λＲ）／２となる波長Λ４が存在する場合においては、
下記数式（１）で表される指標Ａｃｇが−３０以上１２０以下であり、
一方、波長３８０ｎｍ以上７８０ｎｍ以内の範囲で、前記ＳＳＳＬ（λ）の最長波長極大値を与える波長をλＲ（ｎｍ）とした際に、前記λＲよりも長波長側にＳＳＳＬ（λＲ）／２となる波長Λ４が存在しない場合においては、
下記数式（２）で表される指標Ａｃｇが−３０以上１２０以下であり；
【数３】
2018194168.tif 000005
【数４】
2018194168.tif 000006
（ＶＩ’）前記第１照明ステップに係る指標ＡｃｇをＡｃｇ（φＳＳＬ１（λ））とし、前記第２照明ステップに係る指標ＡｃｇをＡｃｇ（φＳＳＬ２（λ））としたとき、
Ａｃｇ（φＳＳＬ１（λ））  ＜  Ａｃｇ（φＳＳＬ２（λ））
を満たすように照明することを特徴とする、照明方法。【００１７】
〔１１〕〔８〕〜〔１０〕のいずれかに記載の照明方法であって、
（ＶＩＩ’）前記ＤｕｖＳＳＬ１に対する前記ＤｕｖＳＳＬ２の比であるＤｕｖＳＳＬ２／ＤｕｖＳＳＬ１が、０．２５以上０．７５以下を満たすように照明することを特徴とする、照明方法。【００１８】
〔１２〕〔７〕〜〔１１〕のいずれかに記載の照明方法であって、
前記展示物が展示された空間は少なくとも１つの出入口を備えた閉鎖空間であり、
更に、第３の発光装置により該出入口のうちの１以上の出入口を主として照射する第３照明ステップを含み、
該第３の発光装置は、前記第１の発光装置が満たす前記条件のうち少なくとも１つを満たさず、かつ、前記第２の発光装置が満たす前記条件のうち少なくとも１つを満たさない発光装置である、照明方法。【００１９】
〔１３〕展示物が展示された空間を照明する照明システムであって、
該照明システムは、展示物を主として照射する第１の発光装置、該展示物以外の空間を主として照射する第２の発光装置、及び、該展示物が展示された空間の周辺の空間を主として照射する第４の発光装置を含み、
（Ｉ）前記第１の発光装置は、発光要素を内在する発光装置であって、
（Ｉ−１）前記発光装置から出射される光は、Ｄｕｖが−０．０１２０以上−０．００５０以下となる光を主たる放射方向に含み；
（Ｉ−２）前記発光装置から当該放射方向に出射される光による照明を数学的に仮定した場合の＃０１から＃１５の下記１５種類の修正マンセル色票のＣＩＥ  １９７６  Ｌ＊ａ＊ｂ＊色空間におけるａ＊値、ｂ＊値をそれぞれａ＊ｎＳＳＬ、ｂ＊ｎＳＳＬ（ただしｎは１から１５の自然数）とし、
当該放射方向に出射される光の相関色温度ＴＳＳＬ（Ｋ）に応じて選択される基準の光での照明を数学的に仮定した場合の当該１５種類の修正マンセル色票のＣＩＥ  １９７６  Ｌ＊ａ＊ｂ＊色空間におけるａ＊値、ｂ＊値をそれぞれａ＊ｎｒｅｆ、ｂ＊ｎｒｅｆ（ただしｎは１から１５の自然数）とした場合に、
前記発光装置から当該放射方向に出射される光は、
飽和度差ΔＣｎ（ｎは１から１５の自然数）が−３．８以上１８．６以下を満たし、
ただし、ΔＣｎ（ｎは１から１５の自然数）＝√｛（ａ＊ｎＳＳＬ）２＋（ｂ＊ｎＳＳＬ）２｝−√｛（ａ＊ｎｒｅｆ）２＋（ｂ＊ｎｒｅｆ）２｝であり；
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
（Ｉ−３）前記ΔＣｎ（ｎは１〜１５のすべての整数）の平均が０．５以上７．０以下であり；
（ＩＩ）前記第２の発光装置は、発光要素を内在する発光装置であって、
（ＩＩ−１）前記発光装置から出射される光は、Ｄｕｖが−０．００７０以上０未満となる光を主たる放射方向に含み；
（ＩＩ−２）前記発光装置から当該放射方向に出射される光は、前記第１の発光装置の場合と同様に定義されるΔＣｎ（ｎは１から１５の自然数）が−３．８以上１８．６以下を満たし；
（ＩＩ−３）前記ΔＣｎ（ｎは１〜１５のすべての整数）の平均が０．５以上７．０以下であり；
（ＩＩＩ）前記第１の発光装置に係るΔＣｎ（ｎは１〜１５のすべての整数）の平均をＳＡＴａｖｅ１とし、
前記第２の発光装置に係るΔＣｎ（ｎは１〜１５のすべての整数）の平均をＳＡＴａｖｅ２としたとき、
ＳＡＴａｖｅ２  ＜  ＳＡＴａｖｅ１
を満たし；
前記第１の発光装置、前記第２の発光装置、及び、前記第４の発光装置は、下記条件（ＩＸ−１）乃至条件（ＩＸ−４）の少なくとも１つを満たすことを特徴とする照明システム。
（ＩＸ−１）
前記第１の発光装置に係るＤｕｖをＤｕｖＳＳＬ１とし、前記第２の発光装置に係るＤｕｖをＤｕｖＳＳＬ２とし、前記第４の発光装置に係るＤｕｖをＤｕｖＳＳＬ４としたとき、
ＤｕｖＳＳＬ１  ＜  ＤｕｖＳＳＬ２  ＜  ＤｕｖＳＳＬ４
である。
（ＩＸ−２）
ＤｕｖＳＳＬ２  ＝  ＤｕｖＳＳＬ１  ＋（ＤｕｖＳＳＬ４  −  ＤｕｖＳＳＬ１）×｛（１／２）±ｘ｝
である。
ただし、ｘは０．３５以下である。
（ＩＸ−３）
前記第１の発光装置の場合と同様に定義される、前記第４の発光装置に係るΔＣｎ（ｎは１〜１５のすべての整数）の平均をＳＡＴａｖｅ４としたとき、
ＳＡＴａｖｅ４  ＜  ＳＡＴａｖｅ２  ＜  ＳＡＴａｖｅ１
である。
（ＩＸ−４）
ＳＡＴａｖｅ２  ＝  ＳＡＴａｖｅ１  ＋（ＳＡＴａｖｅ４  −  ＳＡＴａｖｅ１）×｛（１／２）±ｘ｝
である。
ただし、ｘは０．３５以下である。【００２０】
〔１４〕〔１３〕に記載の照明システムであって、
（Ｉ−４）前記第１の発光装置に係る飽和度差ΔＣ１４が、
０  ≦  ΔＣ１４
を満たすことを特徴とする照明システム。
ただし、ΔＣ１４は前記ΔＣｎにおけるｎ＝１４の場合を示すものである。【００２１】
〔１５〕〔１３〕又は〔１４〕に記載の照明システムであって、
（ＩＩ−４）前記第２の発光装置に係る飽和度差ΔＣ１４が、
０  ≦  ΔＣ１４
を満たすことを特徴とする照明システム。
ただし、ΔＣ１４は前記ΔＣｎにおけるｎ＝１４の場合を示すものである。【００２２】
〔１６〕〔１３〕〜〔１５〕のいずれかに記載の照明システムであって、
前記第１の発光装置、前記第２の発光装置、及び、前記第４の発光装置は、前記条件（ＩＸ−１）及び条件（ＩＸ−２）を共に満たすことを特徴とする照明システム。【００２３】
〔１７〕〔１３〕〜〔１５〕のいずれかに記載の照明システムであって、
前記第１の発光装置、前記第２の発光装置、及び、前記第４の発光装置は、前記条件（ＩＸ−３）及び条件（ＩＸ−４）を共に満たすことを特徴とする照明システム。【００２４】
〔１８〕〔１３〕〜〔１５〕のいずれかに記載の照明システムであって、
前記第１の発光装置、前記第２の発光装置、及び、前記第４の発光装置は、前記条件（ＩＸ−１）乃至条件（ＩＸ−４）をすべて満たすことを特徴とする照明システム。【００２５】
〔１９〕〔１３〕〜〔１８〕のいずれかに記載の照明システムであって、
前記第１の発光装置、前記第２の発光装置、及び、前記第４の発光装置は、下記条件（ＩＸ−５）を満たすことを特徴とする照明システム。
（ＩＸ−５）
前記第１の発光装置から当該放射方向に出射される光の相関色温度をＴＳＳＬ１（Ｋ）とし、
前記第２の発光装置から当該放射方向に出射される光の相関色温度をＴＳＳＬ２（Ｋ）とし、
前記第４の発光装置から当該放射方向に出射される光の相関色温度をＴＳＳＬ４（Ｋ）とし、
該ＴＳＳＬ１（Ｋ）と該ＴＳＳＬ４（Ｋ）とを比較した際に、大きい方をＴＳＳＬ−Ｈ（Ｋ）とし、小さい方をＴＳＳＬ−Ｌ（Ｋ）とし、
該ＴＳＳＬ−Ｈ（Ｋ）の逆数の１００万倍をＭｉｒｅｄ−Ｈ（Ｋ−１）とし、該ＴＳＳＬ−Ｌ（Ｋ）の逆数の１００万倍をＭｉｒｅｄ−Ｌ（Ｋ−１）とし、該ＴＳＳＬ２（Ｋ）の逆数の１００万倍をＭｉｒｅｄ−２（Ｋ−１）としたときに、
Ｍｉｒｅｄ−２（Ｋ−１）  ＝  Ｍｉｒｅｄ−Ｌ（Ｋ−１）  ＋（Ｍｉｒｅｄ−Ｈ（Ｋ−１）  −  Ｍｉｒｅｄ−Ｌ（Ｋ−１））×｛（１／２）±ｘ｝
である。
ただし、ｘは０．３５以下である。【００２６】
〔２０〕展示物が展示された空間を照明する照明方法であって、
該照明方法は、第１の発光装置により展示物を主として照射する第１照明ステップ、第２の発光装置により該展示物以外の空間を主として照射する第２照明ステップ、及び、第４の発光装置により該展示物が展示された空間の周辺の空間を主として照射する第４照明ステップを含み、
（Ｉ’）前記第１照明ステップにおいて、前記第１の発光装置から出射される光が、展示物を主として照明した際に、前記展示物の位置で測定した光が以下の条件を満たすように照明し：
（Ｉ’−１）Ｄｕｖが−０．０１２０以上−０．００５０以下であり；
（Ｉ’−２）前記展示物の位置で測定した光による照明を数学的に仮定した場合の＃０１から＃１５の下記１５種類の修正マンセル色票のＣＩＥ  １９７６  Ｌ＊ａ＊ｂ＊色空間におけるａ＊値、ｂ＊値をそれぞれａ＊ｎＳＳＬ、ｂ＊ｎＳＳＬ（ただしｎは１から１５の自然数）とし、
前記展示物の位置で測定した光の相関色温度ＴＳＳＬ（Ｋ）に応じて選択される基準の光での照明を数学的に仮定した場合の当該１５種類の修正マンセル色票のＣＩＥ  １９７６  Ｌ＊ａ＊ｂ＊色空間におけるａ＊値、ｂ＊値をそれぞれａ＊ｎｒｅｆ、ｂ＊ｎｒｅｆ（ただしｎは１から１５の自然数）とした場合に、
飽和度差ΔＣｎ（ｎは１から１５の自然数）が−３．８以上１８．６以下を満たし、
ただし、ΔＣｎ（ｎは１から１５の自然数）＝√｛（ａ＊ｎＳＳＬ）２＋（ｂ＊ｎＳＳＬ）２｝−√｛（ａ＊ｎｒｅｆ）２＋（ｂ＊ｎｒｅｆ）２｝であり；
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
（Ｉ’−３）前記ΔＣｎ（ｎは１〜１５のすべての整数）の平均が０．５以上７．０以下であり；
（ＩＩ’）前記第２照明ステップにおいて、前記第２の発光装置から出射される光が、前記第１の発光装置が主として照射した前記展示物以外の空間を主として照明した際に、該展示物以外の空間で測定した光が以下の条件を満たすように照明し：
（ＩＩ’−１）Ｄｕｖが−０．００７０以上０未満であり；
（ＩＩ’−２）前記展示物以外の空間で測定した光について、前記第１照明ステップの場合と同様に定義される飽和度差ΔＣｎ（ｎは１から１５の自然数）が−３．８以上１８．６以下を満たし；
（ＩＩ’−３）前記ΔＣｎ（ｎは１〜１５のすべての整数）の平均が０．５以上７．０以下であり；
（ＩＩＩ’）前記第１照明ステップに係るΔＣｎ（ｎは１〜１５のすべての整数）の平均をＳＡＴａｖｅ１とし、
前記第２照明ステップに係るΔＣｎ（ｎは１〜１５のすべての整数）の平均をＳＡＴａｖｅ２としたとき、
ＳＡＴａｖｅ２  ＜  ＳＡＴａｖｅ１
を満たし；
前記第１照明ステップにおいて、前記第１の発光装置から出射される光が、展示物を主として照明した際の、前記展示物の位置で測定した光、
前記第２照明ステップにおいて、前記第２の発光装置から出射される光が、前記第１の発光装置が主として照射した前記展示物以外の空間を主として照明した際の、該展示物以外の空間で測定した光、及び、
前記第４照明ステップにおいて、前記第４の発光装置から出射される光が、該展示物が展示された空間の周辺の空間を主として照明した際の、該周辺の空間で測定した光が、
下記条件（ＩＸ’−１）乃至条件（ＩＸ’−４）の少なくとも１つを満たすように照明することを特徴とする照明方法。
（ＩＸ’−１）
前記第１照明ステップに係るＤｕｖをＤｕｖＳＳＬ１とし、前記第２照明ステップに係るＤｕｖをＤｕｖＳＳＬ２とし、前記第４照明ステップに係るＤｕｖをＤｕｖＳＳＬ４としたとき、
ＤｕｖＳＳＬ１  ＜  ＤｕｖＳＳＬ２  ＜  ＤｕｖＳＳＬ４
である。
（ＩＸ’−２）
ＤｕｖＳＳＬ２  ＝  ＤｕｖＳＳＬ１  ＋（ＤｕｖＳＳＬ４  −  ＤｕｖＳＳＬ１）×｛（１／２）±ｘ｝
である。
ただし、ｘは０．３５以下である。
（ＩＸ’−３）
前記第１照明ステップの場合と同様に定義される、前記第４照明ステップに係るΔＣｎ（ｎは１〜１５のすべての整数）の平均をＳＡＴａｖｅ４としたとき、
ＳＡＴａｖｅ４  ＜  ＳＡＴａｖｅ２  ＜  ＳＡＴａｖｅ１
である。
（ＩＸ’−４）
ＳＡＴａｖｅ２  ＝  ＳＡＴａｖｅ１  ＋（ＳＡＴａｖｅ４  −  ＳＡＴａｖｅ１）×｛（１／２）±ｘ｝
である。
ただし、ｘは０．３５以下である。【００２７】
〔２１〕〔２０〕に記載の照明方法であって、
（Ｉ’−４）前記第１照明ステップに係る飽和度差ΔＣ１４が、
０  ≦  ΔＣ１４
を満たすことを特徴とする照明方法。
ただし、ΔＣ１４は前記ΔＣｎにおけるｎ＝１４の場合を示すものである。【００２８】
〔２２〕〔２０〕又は〔２１〕に記載の照明方法であって、
（ＩＩ’−４）前記第２照明ステップに係る飽和度差ΔＣ１４が、
０  ≦  ΔＣ１４
を満たすことを特徴とする照明方法。
ただし、ΔＣ１４は前記ΔＣｎにおけるｎ＝１４の場合を示すものである。【００２９】
〔２３〕〔２０〕〜〔２２〕のいずれかに記載の照明方法であって、
前記第１照明ステップにおいて、前記第１の発光装置から出射される光が、展示物を主として照明した際の、前記展示物の位置で測定した光、
前記第２照明ステップにおいて、前記第２の発光装置から出射される光が、前記第１の発光装置が主として照射した前記展示物以外の空間を主として照明した際の、該展示物以外の空間で測定した光、及び、
前記第４照明ステップにおいて、前記第４の発光装置から出射される光が、該展示物が展示された空間の周辺の空間を主として照明した際の、該周辺の空間で測定した光が、
前記条件（ＩＸ’−１）及び条件（ＩＸ’−２）を共に満たすことを特徴とする照明方法。【００３０】
〔２４〕〔２０〕〜〔２２〕のいずれかに記載の照明方法であって、
前記第１照明ステップにおいて、前記第１の発光装置から出射される光が、展示物を主として照明した際の、前記展示物の位置で測定した光、
前記第２照明ステップにおいて、前記第２の発光装置から出射される光が、前記第１の発光装置が主として照射した前記展示物以外の空間を主として照明した際の、該展示物以外の空間で測定した光、及び、
前記第４照明ステップにおいて、前記第４の発光装置から出射される光が、該展示物が展示された空間の周辺の空間を主として照明した際の、該周辺の空間で測定した光が、
前記条件（ＩＸ’−３）及び条件（ＩＸ’−４）を共に満たすことを特徴とする照明方法。【００３１】
〔２５〕〔２０〕〜〔２２〕のいずれかに記載の照明方法であって、
前記第１照明ステップにおいて、前記第１の発光装置から出射される光が、展示物を主として照明した際の、前記展示物の位置で測定した光、
前記第２照明ステップにおいて、前記第２の発光装置から出射される光が、前記第１の発光装置が主として照射した前記展示物以外の空間を主として照明した際の、該展示物以外の空間で測定した光、及び、
前記第４照明ステップにおいて、前記第４の発光装置から出射される光が、該展示物が展示された空間の周辺の空間を主として照明した際の、該周辺の空間で測定した光が、
前記条件（ＩＸ’−１）乃至条件（ＩＸ’−４）をすべて満たすことを特徴とする照明方法。【００３２】
〔２６〕〔２０〕〜〔２５〕のいずれかに記載の照明方法であって、
前記第１照明ステップにおいて、前記第１の発光装置から出射される光が、展示物を主として照明した際の、前記展示物の位置で測定した光、
前記第２照明ステップにおいて、前記第２の発光装置から出射される光が、前記第１の発光装置が主として照射した前記展示物以外の空間を主として照明した際の、該展示物以外の空間で測定した光、及び、
前記第４照明ステップにおいて、前記第４の発光装置から出射される光が、該展示物が展示された空間の周辺の空間を主として照明した際の、該周辺の空間で測定した光が、
下記条件（ＩＸ’−５）を満たすことを特徴とする照明方法。
（ＩＸ’−５）
前記第１照明ステップにおいて、前記第１の発光装置から出射される光が、展示物を主として照明した際の、前記展示物の位置で測定した光の相関色温度をＴＳＳＬ１（Ｋ）とし、
前記第２照明ステップにおいて、前記第２の発光装置から出射される光が、前記第１の発光装置が主として照射した前記展示物以外の空間を主として照明した際の、該展示物以外の空間で測定した光の相関色温度をＴＳＳＬ２（Ｋ）とし、
前記第４照明ステップにおいて、前記第４の発光装置から出射される光が、該展示物が展示された空間の周辺の空間を主として照明した際の、該周辺の空間で測定した光の相関色温度をＴＳＳＬ４（Ｋ）とし、
該ＴＳＳＬ１（Ｋ）と該ＴＳＳＬ４（Ｋ）とを比較した際に、大きい方をＴＳＳＬ−Ｈ（Ｋ）とし、小さい方をＴＳＳＬ−Ｌ（Ｋ）とし、
該ＴＳＳＬ−Ｈ（Ｋ）の逆数の１００万倍をＭｉｒｅｄ−Ｈ（Ｋ−１）とし、該ＴＳＳＬ−Ｌ（Ｋ）の逆数の１００万倍をＭｉｒｅｄ−Ｌ（Ｋ−１）とし、該ＴＳＳＬ２（Ｋ）の逆数の１００万倍をＭｉｒｅｄ−２（Ｋ−１）としたときに、
Ｍｉｒｅｄ−２（Ｋ−１）  ＝  Ｍｉｒｅｄ−Ｌ（Ｋ−１）  ＋（Ｍｉｒｅｄ−Ｈ（Ｋ−１）  −  Ｍｉｒｅｄ−Ｌ（Ｋ−１））×｛（１／２）±ｘ｝
である。
ただし、ｘは０．３５以下である。
【発明の効果】
【００３３】
本発明によれば、Ｄｕｖが０から負に大きく離れたVIVID照明で照射された、展示物を含む空間を薄桃色がかっていると知覚しない照明システム及び照明方法が提供できる。
【図面の簡単な説明】
【００３４】
【図１】本発明の一実施形態における発光装置の光野を示す図である。
【図２】本発明の一実施形態における発光装置の光野を示す図である。
【図３】本発明の一実施形態における発光装置の光野を示す図である。
【図４】本発明の一実施形態における発光装置の光野を示す図である。
【図５】本発明の一実施形態における発光装置の光野を示す図である。
【図６】本発明の一実施形態における発光装置の光野を示す図である。
【発明を実施するための形態】
【００３５】
以下、本発明を詳細に説明するが、本発明は以下の実施の形態に限定されるものではなく、その要旨の範囲内であれば種々に変更して実施することができる。また、本明細書に記載されたパラメータの定義は、当業者であれば、特許文献１及び２を参酌して容易に理解できるものである。
【００３６】
本発明は、展示物が展示された空間を照明する照明システム（第一の実施態様）、および、展示物が展示された空間を照明する照明方法（第二の実施態様）を含む。
【００３７】
＜１．第一の実施態様＞
本発明の第一の実施態様は、展示物が展示された空間を照明する照明システムであって、該照明システムは、展示物を主として照射する所定の条件を満たす第１の発光装置、及び、該展示物以外の空間を主として照射する所定の条件を満たす第２の発光装置を含む。
また、他の態様は、展示物が展示された空間を照明する照明システムであって、該照明システムは、展示物を主として照射する所定の条件を満たす第１の発光装置、該展示物以外の空間を主として照射する所定の条件を満たす第２の発光装置、及び、該展示物が展示された空間の周辺の空間を主として照射する所定の条件を満たす第４の発光装置を含む。
なお、所定の条件の記載は、特許文献１及び特許文献２の記載内容を参照して理解される。
また、該照明システムが含む第１の発光装置は、所定の条件を満たせば、１種でも２種以上でもよく、個数として１でも２以上でもよい。また、該照明システムが含む第２乃至第４の発光装置についても同様である。
【００３８】
また、以下では、第１乃至第４の発光装置のそれぞれが満たす好ましい条件を記載するが、いずれの発光装置も、該所定の条件の少なくとも１つを満たせばよく、より多くの条件を満たすことが好ましい。
【００３９】
（展示物）
本実施態様における展示物とは特に制限されるものではなく、例えば、博物館等の展示物、商品や広告や販促物などの陳列される物、アミューズメント施設におけるアトラクション（催し物や見せ物など）などが挙げられる。
【００４０】
（展示物が展示された空間）
本実施態様における展示物が展示された空間とは、屋外などの開放空間や、屋内や屋内の区域内などの閉鎖空間であってよい。閉鎖空間である場合、該閉鎖空間は、出入口を備えていても、いなくてもよいが、少なくとも１つの出入口を備えていることが好ましい。該出入口は、例えば、扉やドア、シャッター等を備えていなくてもよいが、備えていることが好ましく、該出入口が閉まっていても、閉まっていなくてもよいが、閉まっていることが好ましい。
本実施態様の効果が好ましく発揮されることから、好ましくは閉鎖空間である。
該閉鎖空間は、特に制限されないが、例えば、展示物が展示された美術館、博物館や水族館などの展示施設内の展示スペース、会社内の来客待合所等にある製品展示スペース、商品や広告や販促物などが陳列された店内の陳列スペース、アミューズメント施設におけるアトラクションスペースなどが挙げられる。
【００４１】
（第１の発光装置）
本実施態様に係る照明システムが含む第１の発光装置は、展示物を主として照射し、所定の条件を満たすものである。
第１の発光装置による「展示物を主として照射する」とは、その光野に展示物を含み、照射対象となる展示物を集中的に照射することをいうが、後述する第２の発光装置の光野がその光野に含まれてもよい。第２の発光装置とは、例えば、閉鎖空間において、第１の発光装置により該展示物を照射していなくても点灯している照明等が相当する。具体的には、閉鎖空間において、照射対象となる展示物を集中的に照射するスポットライト等が第１の発光装置に相当し、天井等に設置された該閉鎖空間全体を照明する蛍光灯等が第２の発光装置に相当する。
同様に、第１の発光装置の光野には、後述する第３の発光装置の光野及び／又は第４の発光装置の光野が含まれても構わない。
【００４２】
（Ｉ）
第１の発光装置は、発光要素を内在する。
【００４３】
（Ｉ−１）
前記発光装置から出射される光は、Ｄｕｖが−０．０３００以上−０．００５０以下となる光を主たる放射方向に含む。
Ｄｕｖは、好ましくは−０．０１２０以上、より好ましくは−０．０１１０以上、さらに好ましくは−０．０１００以上、よりさらに好ましくは−０．００９５以上である。一方で、好ましくは−０．００５２以下、より好ましくは−０．００５３以下、さらに好ましくは−０．００５５以下である。
【００４４】
（Ｉ−２）
前記発光装置から当該放射方向に出射される光による照明を数学的に仮定した場合の＃０１から＃１５の下記１５種類の修正マンセル色票のＣＩＥ  １９７６  Ｌ＊ａ＊ｂ＊色空間におけるａ＊値、ｂ＊値をそれぞれａ＊ｎＳＳＬ、ｂ＊ｎＳＳＬ（ただしｎは１から１５の自然数）とし、
当該放射方向に出射される光の相関色温度ＴＳＳＬ（Ｋ）に応じて選択される基準の光での照明を数学的に仮定した場合の当該１５種類の修正マンセル色票のＣＩＥ  １９７６  Ｌ＊ａ＊ｂ＊色空間におけるａ＊値、ｂ＊値をそれぞれａ＊ｎｒｅｆ、ｂ＊ｎｒｅｆ（ただしｎは１から１５の自然数）とした場合に、
前記発光装置から当該放射方向に出射される光は、
飽和度差ΔＣｎ（ｎは１から１５の自然数）が−３．８以上１８．６以下を満たす。
ただし、ΔＣｎ（ｎは１から１５の自然数）＝√｛（ａ＊ｎＳＳＬ）２＋（ｂ＊ｎＳＳＬ）２｝−√｛（ａ＊ｎｒｅｆ）２＋（ｂ＊ｎｒｅｆ）２｝である。尚、本明細書を通して、「√」は根号（ｒａｄｉｃａｌ  ｓｙｍｂｏｌ）を示す。
ΔＣｎ（ｎは１から１５の自然数）は、好ましくは−３．０以上、より好ましくは−２．８以上、さらに好ましくは−２．５以上である。一方で、好ましくは１７．０以下、より好ましくは１６．０以下、さらに好ましくは１５．０以下である。
【００４５】
（Ｉ−３）
前記ΔＣｎ（ｎは１〜１５のすべての整数）の平均が０．５以上１０．０以下である。
前記ΔＣｎ（ｎは１〜１５のすべての整数）の平均は、好ましくは１．０以上、より好ましくは１．５以上、さらに好ましくは２．０以上である。一方で、好ましくは７．０以下、より好ましくは６．８以下、さらに好ましくは６．５以下、よりさらに好ましくは５．０以下である。
【００４６】
（Ｉ−４）
前記発光装置に係る飽和度差ΔＣ１４が、
０  ≦  ΔＣ１４
である。ただし、ΔＣ１４は前記ΔＣｎにおけるｎ＝１４の場合を示す。
ΔＣ１４は、好ましくは０．３以上、より好ましくは０．５以上、さらに好ましくは１．０以上である。一方で、好ましくは１５．０以下、より好ましくは１０．０以下、さらに好ましくは８．０以下である。
【００４７】
前記発光装置は、好ましくは、さらに下記の条件を満たす。
（Ｉ−５）
前記発光装置から当該放射方向に出射される光の分光分布をφＳＳＬ（λ）、前記発光装置から当該放射方向に出射される光の相関色温度ＴＳＳＬ（Ｋ）に応じて選択される基準の光の分光分布をφｒｅｆ（λ）、前記発光装置から当該放射方向に出射される光の三刺激値を（ＸＳＳＬ、ＹＳＳＬ、ＺＳＳＬ）、前記発光装置から当該放射方向に出射される光の相関色温度ＴＳＳＬ（Ｋ）に応じて選択される基準の光の三刺激値を（Ｘｒｅｆ、Ｙｒｅｆ、Ｚｒｅｆ）とし、
前記発光装置から当該放射方向に出射される光の規格化分光分布ＳＳＳＬ（λ）と、前記発光装置から当該放射方向に出射される光の相関色温度ＴＳＳＬ（Ｋ）に応じて選択される基準の光の規格化分光分布Ｓｒｅｆ（λ）と、これら規格化分光分布の差ΔＳＳＳＬ（λ）をそれぞれ、
ＳＳＳＬ（λ）＝φＳＳＬ（λ）／ＹＳＳＬ
Ｓｒｅｆ（λ）＝φｒｅｆ（λ）／Ｙｒｅｆ
ΔＳＳＳＬ（λ）＝Ｓｒｅｆ（λ）−ＳＳＳＬ（λ）
と定義し、
波長３８０ｎｍ以上７８０ｎｍ以内の範囲で、ＳＳＳＬ（λ）の最長波長極大値を与える波長をλＲ（ｎｍ）とした際に、前記λＲよりも長波長側にＳＳＳＬ（λＲ）／２となる波長Λ４が存在する場合においては、
下記数式（１）で表される指標Ａｃｇが−３０以上１２０以下であり、
一方、波長３８０ｎｍ以上７８０ｎｍ以内の範囲で、前記ＳＳＳＬ（λ）の最長波長極大値を与える波長をλＲ（ｎｍ）とした際に、前記λＲよりも長波長側にＳＳＳＬ（λＲ）／２となる波長Λ４が存在しない場合においては、
下記数式（２）で表される指標Ａｃｇが−３０以上１２０以下である。
【００４８】
【数５】
2018194168.tif 000007
【００４９】
【数６】
2018194168.tif 000008
【００５０】
指標Ａｃｇは、好ましくは−２８以上、より好ましくは−２７以上、さらに好ましくは−２５以上である。一方で、好ましくは８０以下、より好ましくは５０以下、さらに好ましくは０以下である。
【００５１】
（第２の発光装置）
本実施態様に係る照明システムが含む第２の発光装置は、第１の発光装置が主として照射する上記展示物以外の空間を主として照射し、所定の条件を満たすものである。
第２の発光装置による「展示物以外の空間を主として照射する」とは、第１の発光装置のように照射対象となる展示物を集中的に照射することをいうのではなく、該展示物が存在しない空間を主として照射することをいうが、該展示物が展示された空間全体を照射するように、前述した第１の発光装置の光野が第２の発光装置の光野に含まれてもよい。例えば、閉鎖空間において、第１の発光装置により該展示物を照射していなくても点灯している照明等が該第２の発光装置に相当し、該第２の発光装置により該閉鎖空間全体を照射すること等が挙げられる。具体的には、閉鎖空間において、照射対象となる展示物を集中的に照射するスポットライト等が第１の発光装置に相当し、天井等に設置された該閉鎖空間全体を照明する蛍光灯等が第２の発光装置に相当する。
同様に、第２の発光装置の光野には、後述する第３の発光装置の光野及び／又は第４の発光装置の光野が含まれても構わない。
【００５２】
（ＩＩ）
第２の発光装置は、発光要素を内在する。
【００５３】
（ＩＩ−１）
前記発光装置から出射される光は、Ｄｕｖが−０．００７０以上０未満となる光を主たる放射方向に含む。
Ｄｕｖは、好ましくは−０．００６９以上、より好ましくは−０．００６８以上、さらに好ましくは−０．００６５以上である。一方で、好ましくは−０．００１０以下、より好ましくは−０．００１５以下、さらに好ましくは−０．００２５以下である。
【００５４】
（ＩＩ−２）
前記発光装置から当該放射方向に出射される光は、前記第１の発光装置の場合と同様に定義される飽和度差ΔＣｎ（ｎは１から１５の自然数）が−３．８以上１８．６以下を満たす。
ΔＣｎ（ｎは１から１５の自然数）は、好ましくは−３．０以上、より好ましくは−２．８以上、さらに好ましくは−２．５以上である。一方で、好ましくは１７．０以下、より好ましくは１６．０以下、さらに好ましくは１５．０以下である。
【００５５】
（ＩＩ−３）
前記ΔＣｎ（ｎは１〜１５のすべての整数）の平均が０．５以上１０．０以下である。
前記ΔＣｎ（ｎは１〜１５のすべての整数）の平均は、好ましくは０．５５以上、より好ましくは０．６以上、さらに好ましくは０．７以上である。一方で、好ましくは７．０以下、より好ましくは６．５以下、さらに好ましくは５．５以下、よりさらに好ましくは４．０以下である。
【００５６】
（ＩＩ−４）
前記発光装置に係る飽和度差ΔＣ１４が、
０  ≦  ΔＣ１４
である。ただし、ΔＣ１４は前記ΔＣｎにおけるｎ＝１４の場合を示す。
飽和度差ΔＣ１４は、好ましくは０．３以上、より好ましくは０．５以上、さらに好ましくは１．０以上である。一方で、好ましくは１５．０以下、より好ましくは１０．０以下、さらに好ましくは８．０以下である。
【００５７】
前記発光装置は、好ましくは、さらに下記の条件を満たす。
（ＩＩ−５）
前記条件（Ｉ−４）と同様に定義される、
上記数式（１）で表される指標Ａｃｇが−３０以上１２０以下であり、
一方、上記数式（２）で表される指標Ａｃｇが−３０以上１２０以下である。
【００５８】
指標Ａｃｇは、好ましくは−１０以上、より好ましくは−５以上、さらに好ましくは０以上である。一方で、好ましくは１１８以下、より好ましくは１１６以下、さらに好ましくは１１５以下である。
【００５９】
（第１の発光装置と第２の発光装置との関係）
本実施態様に係る照明システムは、第１の発光装置と第２の発光装置との関係が、さらに下記の条件を満たす。
（ＩＩＩ）
前記第１の発光装置に係るΔＣｎ（ｎは１〜１５のすべての整数）の平均をＳＡＴａｖｅ１とし、
前記第２の発光装置に係るΔＣｎ（ｎは１〜１５のすべての整数）の平均をＳＡＴａｖｅ２としたとき、
ＳＡＴａｖｅ２  ＜  ＳＡＴａｖｅ１
を満たす。
【００６０】
また、本実施態様に係る照明システムは、第１の発光装置と第２の発光装置との関係が、好ましくは、さらに下記の条件を満たす。
（ＩＶ）
前記第１の発光装置に係るＤｕｖをＤｕｖＳＳＬ１とし、前記第２の発光装置に係るＤｕｖをＤｕｖＳＳＬ２としたとき、
ＤｕｖＳＳＬ１  ＜  ＤｕｖＳＳＬ２
を満たす。
【００６１】
（Ｖ）
前記ＤｕｖＳＳＬ１と前記ＤｕｖＳＳＬ２との差である｜ＤｕｖＳＳＬ２  −  ＤｕｖＳＳＬ１｜は、０より大きく０．００７０以下を満たす。
差｜ＤｕｖＳＳＬ２  −  ＤｕｖＳＳＬ１｜は、好ましくは０．００１０以上、より好ましくは０．００１２以上、さらに好ましくは０．００１５以上である。一方で、好ましくは０．００６５以下、より好ましくは０．００６０以下、さらに好ましくは０．００４０以下である。
【００６２】
（ＶＩ）
前記第１の発光装置に係る指標ＡｃｇをＡｃｇ（φＳＳＬ１（λ））とし、前記第２の発光装置に係る指標ＡｃｇをＡｃｇ（φＳＳＬ２（λ））としたとき、
Ａｃｇ（φＳＳＬ１（λ））  ＜  Ａｃｇ（φＳＳＬ２（λ））
である。
【００６３】
（ＶＩＩ）
前記ＤｕｖＳＳＬ１に対する前記ＤｕｖＳＳＬ２の比であるＤｕｖＳＳＬ２／ＤｕｖＳＳＬ１が、０．２５以上０．７５以下を満たす。
比であるＤｕｖＳＳＬ２／ＤｕｖＳＳＬ１は、好ましくは０．３０以上、より好ましくは０．３５以上、さらに好ましくは０．４０以上である。一方で、好ましくは０．７０以下、より好ましくは０．６５以下、さらに好ましくは０．６０以下である。
【００６４】
（第３の発光装置）
本実施態様に係る照明システムは、好ましくは、更に第３の発光装置を含む。
該第３の発光装置が主として照射する空間は、前記第１の発光装置が主として照射する展示物でも前記第２の発光装置が主として照射する空間でもない空間であり、該展示物が展示された空間が少なくとも１つの出入口を備えた閉鎖空間であって、該出入口のうちの１以上の出入口である。
【００６５】
本実施態様に係る照明システムは、前記第１の発光装置と前記第２の発光装置とを含んだ上で、該第３の発光装置を含んで後述の第４の発光装置を含まなくてもよいし、該第３の発光装置を含まずに後述の第４の発光装置を含んでもよいし、該第３の発光装置を含んでさらに後述の第４の発光装置を含んでもよい。
第３の発光装置の光野には、前記第１の発光装置の光野、前記第２の発光装置の光野、及び、後述する第４の発光装置の光野のいずれが含まれても構わない。
【００６６】
該第３の発光装置としては、前記第１の発光装置が満たす前記条件のうち少なくとも１つを満たさず、かつ、前記第２の発光装置が満たす前記条件のうち少なくとも１つを満たさない発光装置である。例えば、ＬＥＤ発光装置、白熱電球、蛍光灯、キセノンランプ、水銀灯、有機ＥＬなどが挙げられる。
【００６７】
（第１の発光装置と第２の発光装置と第３の発光装置との関係）
本実施態様に係る照明システムが前記第１の発光装置と前記第２の発光装置とを含んだ上で、後述の第４の発光装置を含まずに該第３の発光装置を含む場合、本実施態様に係る照明システムは、第１の発光装置と第２の発光装置と第３の発光装置との関係が、下記条件（ＶＩＩＩ−１）乃至条件（ＶＩＩＩ−４）の少なくとも１つを満たすことが好ましい。これにより、３種の発光装置からの出射されたそれぞれの光によって、全体的に違和感のないグラデーションが作られる。
また、下記条件（ＶＩＩＩ−１）及び下記条件（ＶＩＩＩ−２）を共に満たす態様が好ましく、下記条件（ＶＩＩＩ−３）及び下記条件（ＶＩＩＩ−４）を共に満たす態様も好ましい。
また、下記条件（ＶＩＩＩ−１）乃至条件（ＶＩＩＩ−４）のすべてを満たすことが好ましい。
【００６８】
（ＶＩＩＩ−１）
前記第１の発光装置に係るＤｕｖをＤｕｖＳＳＬ１とし、前記第２の発光装置に係るＤｕｖをＤｕｖＳＳＬ２とし、該第３の発光装置に係るＤｕｖをＤｕｖＳＳＬ３としたとき、
ＤｕｖＳＳＬ１  ＜  ＤｕｖＳＳＬ２  ＜  ＤｕｖＳＳＬ３
である。
【００６９】
（ＶＩＩＩ−２）
ＤｕｖＳＳＬ２  ＝  ＤｕｖＳＳＬ１  ＋（ＤｕｖＳＳＬ３  −  ＤｕｖＳＳＬ１）×｛（１／２）±ｘ｝
である。
ただし、ｘは、好ましくは０．３５以下であり、より好ましくは０．３０以下であり、さらに好ましくは０．２５以下である。
【００７０】
（ＶＩＩＩ−３）
前記第１の発光装置に係るΔＣｎ（ｎは１〜１５のすべての整数）の平均をＳＡＴａｖｅ１とし、
前記第２の発光装置に係るΔＣｎ（ｎは１〜１５のすべての整数）の平均をＳＡＴａｖｅ２とし、
前記第１の発光装置の場合と同様に定義される、該第３の発光装置に係るΔＣｎ（ｎは１〜１５のすべての整数）の平均をＳＡＴａｖｅ３としたとき、
ＳＡＴａｖｅ３  ＜  ＳＡＴａｖｅ２  ＜  ＳＡＴａｖｅ１
である。
【００７１】
（ＶＩＩＩ−４）
ＳＡＴａｖｅ２  ＝  ＳＡＴａｖｅ１  ＋（ＳＡＴａｖｅ３  −  ＳＡＴａｖｅ１）×｛（１／２）±ｘ｝
である。
ただし、ｘは、好ましくは０．３５以下であり、より好ましくは０．３０以下であり、さらに好ましくは０．２５以下である。
【００７２】
また、本実施態様に係る照明システムは、前記第１の発光装置、前記第２の発光装置、及び、該第３の発光装置が、下記条件（ＶＩＩＩ−５）を満たすことが好ましい。
（ＶＩＩＩ−５）
前記第１の発光装置から当該放射方向に出射される光の相関色温度をＴＳＳＬ１（Ｋ）とし、
前記第２の発光装置から当該放射方向に出射される光の相関色温度をＴＳＳＬ２（Ｋ）とし、
該第３の発光装置から当該放射方向に出射される光の相関色温度をＴＳＳＬ３（Ｋ）とし、
該ＴＳＳＬ１（Ｋ）と該ＴＳＳＬ３（Ｋ）とを比較した際に、大きい方をＴＳＳＬ−Ｈ（Ｋ）とし、小さい方をＴＳＳＬ−Ｌ（Ｋ）とし、
該ＴＳＳＬ−Ｈ（Ｋ）の逆数の１００万倍をＭｉｒｅｄ−Ｈ（Ｋ−１）とし、該ＴＳＳＬ−Ｌ（Ｋ）の逆数の１００万倍をＭｉｒｅｄ−Ｌ（Ｋ−１）とし、該ＴＳＳＬ２（Ｋ）の逆数の１００万倍をＭｉｒｅｄ−２（Ｋ−１）としたときに、
Ｍｉｒｅｄ−２（Ｋ−１）  ＝  Ｍｉｒｅｄ−Ｌ（Ｋ−１）  ＋（Ｍｉｒｅｄ−Ｈ（Ｋ−１）  −  Ｍｉｒｅｄ−Ｌ（Ｋ−１））×｛（１／２）±ｘ｝
である。
ただし、ｘは、好ましくは０．３５以下であり、より好ましくは０．３０以下であり、さらに好ましくは０．２５以下である。
尚、Ｍｉｒｅｄ−Ｈ（Ｋ−１）、Ｍｉｒｅｄ−Ｌ（Ｋ−１）及びＭｉｒｅｄ−２（Ｋ−１）の技術的意義は、出願時の当業者であれば容易に理解することができる。
【００７３】
（第４の発光装置）
本実施態様に係る照明システムは、好ましくは、更に第４の発光装置を含む。
該第４の発光装置が主として照射する空間は、前記第１の発光装置が主として照射する展示物でも、前記第２の発光装置が主として照射する空間でも、前記第３の発光装置が主として照射する空間でもない空間であって、該展示物が展示された空間の周辺の空間である。例えば、展示物が展示された空間が出入口を備えているが該出入口が閉まっていない閉鎖空間である場合におけるその周辺の空間である。したがって、該第４の発光装置の具体的としては、展示物が展示された空間として、ショッピングモールにおいて出入口を備えているが該出入口が閉まっていない閉鎖空間である店舗を考えた場合に、当該店舗の隣の店舗を主として照明する発光装置や、当該店舗の向かい側の店舗を主として照明する発光装置、当該店舗の出入口に隣接する通路を主として照明する発光装置などが挙げられる。
【００７４】
本実施態様に係る照明システムは、上述の通り、前記第１の発光装置と前記第２の発光装置とを含んだ上で、前記第３の発光装置を含んで該第４の発光装置を含まなくてもよいし、前記第３の発光装置を含まずに該第４の発光装置を含んでもよいし、前記第３の発光装置を含んでさらに該第４の発光装置を含んでもよい。
第４の発光装置の光野には、前記第１の発光装置の光野、前記第２の発光装置の光野、及び、前記第３の発光装置の光野のいずれが含まれても構わない。
【００７５】
該第４の発光装置としては、前記第１の発光装置が満たす前記条件のうち少なくとも１つを満たさず、かつ、前記第２の発光装置が満たす前記条件のうち少なくとも１つを満たさない発光装置である。例えば、ＬＥＤ発光装置、白熱電球、蛍光灯、キセノンランプ、水銀灯、有機ＥＬなどが挙げられる。
【００７６】
（第１の発光装置と第２の発光装置と第４の発光装置との関係）
本実施態様に係る照明システムが前記第１の発光装置と前記第２の発光装置とを含んだ上で、前記第３の発光装置を含まずに該第４の発光装置を含む場合、本実施態様に係る照明システムは、第１の発光装置と第２の発光装置と第４の発光装置との関係が、下記条件（ＩＸ−１）乃至条件（ＩＸ−４）の少なくとも１つを満たすことが好ましい。これにより、３種の発光装置からの出射されたそれぞれの光によって、全体的に違和感のないグラデーションが作られる。
また、下記条件（ＩＸ−１）及び下記条件（ＩＸ−２）を共に満たす態様が好ましく、下記条件（ＩＸ−３）及び下記条件（ＩＸ−４）を共に満たす態様も好ましい。
また、下記条件（ＩＸ−１）乃至条件（ＩＸ−４）のすべてを満たすことが好ましい。
【００７７】
（ＩＸ−１）
前記第１の発光装置に係るＤｕｖをＤｕｖＳＳＬ１とし、前記第２の発光装置に係るＤｕｖをＤｕｖＳＳＬ２とし、該第４の発光装置に係るＤｕｖをＤｕｖＳＳＬ４としたとき、
ＤｕｖＳＳＬ１  ＜  ＤｕｖＳＳＬ２  ＜  ＤｕｖＳＳＬ４
である。
【００７８】
（ＩＸ−２）
ＤｕｖＳＳＬ２  ＝  ＤｕｖＳＳＬ１  ＋（ＤｕｖＳＳＬ４  −  ＤｕｖＳＳＬ１）×｛（１／２）±ｘ｝
である。
ただし、ｘは、好ましくは０．３５以下であり、より好ましくは０．３０以下であり、さらに好ましくは０．２５以下である。
【００７９】
（ＩＸ−３）
前記第１の発光装置に係るΔＣｎ（ｎは１〜１５のすべての整数）の平均をＳＡＴａｖｅ１とし、
前記第２の発光装置に係るΔＣｎ（ｎは１〜１５のすべての整数）の平均をＳＡＴａｖｅ２とし、
前記第１の発光装置の場合と同様に定義される、該第４の発光装置に係るΔＣｎ（ｎは１〜１５のすべての整数）の平均をＳＡＴａｖｅ４としたとき、
ＳＡＴａｖｅ４  ＜  ＳＡＴａｖｅ２  ＜  ＳＡＴａｖｅ１
である。
【００８０】
（ＩＸ−４）
ＳＡＴａｖｅ２  ＝  ＳＡＴａｖｅ１  ＋（ＳＡＴａｖｅ４  −  ＳＡＴａｖｅ１）×｛（１／２）±ｘ｝
である。
ただし、ｘは、好ましくは０．３５以下であり、より好ましくは０．３０以下であり、さらに好ましくは０．２５以下である。
【００８１】
また、本実施態様に係る照明システムは、前記第１の発光装置、前記第２の発光装置、及び、該第４の発光装置が、下記条件（ＩＸ−５）を満たすことが好ましい。
（ＩＸ−５）
前記第１の発光装置から当該放射方向に出射される光の相関色温度をＴＳＳＬ１（Ｋ）とし、
前記第２の発光装置から当該放射方向に出射される光の相関色温度をＴＳＳＬ２（Ｋ）とし、
該第４の発光装置から当該放射方向に出射される光の相関色温度をＴＳＳＬ４（Ｋ）とし、
該ＴＳＳＬ１（Ｋ）と該ＴＳＳＬ４（Ｋ）とを比較した際に、大きい方をＴＳＳＬ−Ｈ（Ｋ）とし、小さい方をＴＳＳＬ−Ｌ（Ｋ）とし、
該ＴＳＳＬ−Ｈ（Ｋ）の逆数の１００万倍をＭｉｒｅｄ−Ｈ（Ｋ−１）とし、該ＴＳＳＬ−Ｌ（Ｋ）の逆数の１００万倍をＭｉｒｅｄ−Ｌ（Ｋ−１）とし、該ＴＳＳＬ２（Ｋ）の逆数の１００万倍をＭｉｒｅｄ−２（Ｋ−１）としたときに、
Ｍｉｒｅｄ−２（Ｋ−１）  ＝  Ｍｉｒｅｄ−Ｌ（Ｋ−１）  ＋（Ｍｉｒｅｄ−Ｈ（Ｋ−１）  −  Ｍｉｒｅｄ−Ｌ（Ｋ−１））×｛（１／２）±ｘ｝
である。
ただし、ｘは、好ましくは０．３５以下であり、より好ましくは０．３０以下であり、さらに好ましくは０．２５以下である。
尚、Ｍｉｒｅｄ−Ｈ（Ｋ−１）、Ｍｉｒｅｄ−Ｌ（Ｋ−１）及びＭｉｒｅｄ−２（Ｋ−１）の技術的意義は、出願時の当業者であれば容易に理解することができる。
【００８２】
（第１の発光装置と第２の発光装置と第３の発光装置と第４の発光装置との関係）
本実施態様に係る照明システムが前記第１乃至第４の発光装置を含む場合、本実施態様に係る照明システムは、第１乃至第４の発光装置との関係が、下記条件（Ｘ−１）乃至条件（Ｘ−３）のすべてを満たすことが好ましい。
また、下記条件（Ｘ−４）乃至条件（Ｘ−６）のすべてを満たす態様も好ましい。
これにより、４種の発光装置からの出射されたそれぞれの光によって、全体的に違和感のないグラデーションが作られる。
【００８３】
（Ｘ−１）
前記第１の発光装置に係るＤｕｖをＤｕｖＳＳＬ１とし、前記第２の発光装置に係るＤｕｖをＤｕｖＳＳＬ２とし、前記第３の発光装置に係るＤｕｖをＤｕｖＳＳＬ３とし、前記第４の発光装置に係るＤｕｖをＤｕｖＳＳＬ４としたとき、
ＤｕｖＳＳＬ１  ＜  ＤｕｖＳＳＬ２  ＜  ＤｕｖＳＳＬ３  ＜  ＤｕｖＳＳＬ４
である。
【００８４】
（Ｘ−２）
ＤｕｖＳＳＬ２  ＝  ＤｕｖＳＳＬ１  ＋（ＤｕｖＳＳＬ３  −  ＤｕｖＳＳＬ１）×｛（１／２）±ｘ｝
である。
ただし、ｘは、好ましくは０．３５以下であり、より好ましくは０．３０以下であり、さらに好ましくは０．２５以下である。
【００８５】
（Ｘ−３）
ＤｕｖＳＳＬ３  ＝  ＤｕｖＳＳＬ２  ＋（ＤｕｖＳＳＬ４  −  ＤｕｖＳＳＬ２）×｛（１／２）±ｘ｝
である。
ただし、ｘは、好ましくは０．３５以下であり、より好ましくは０．３０以下であり、さらに好ましくは０．２５以下である。
【００８６】
（Ｘ−４）
前記第１の発光装置に係るΔＣｎ（ｎは１〜１５のすべての整数）の平均をＳＡＴａｖｅ１とし、
前記第２の発光装置に係るΔＣｎ（ｎは１〜１５のすべての整数）の平均をＳＡＴａｖｅ２とし、
前記第３の発光装置に係るΔＣｎ（ｎは１〜１５のすべての整数）の平均をＳＡＴａｖｅ３とし、
前記第４の発光装置に係るΔＣｎ（ｎは１〜１５のすべての整数）の平均をＳＡＴａｖｅ４としたとき、
ＳＡＴａｖｅ４  ＜  ＳＡＴａｖｅ３  ＜  ＳＡＴａｖｅ２  ＜  ＳＡＴａｖｅ１
である。
【００８７】
（Ｘ−５）
ＳＡＴａｖｅ２  ＝  ＳＡＴａｖｅ１  ＋（ＳＡＴａｖｅ３  −  ＳＡＴａｖｅ１）×｛（１／２）±ｘ｝
である。
ただし、ｘは、好ましくは０．３５以下であり、より好ましくは０．３０以下であり、さらに好ましくは０．２５以下である。
【００８８】
（Ｘ−６）
ＳＡＴａｖｅ３  ＝  ＳＡＴａｖｅ２  ＋（ＳＡＴａｖｅ４  −  ＳＡＴａｖｅ２）×｛（１／２）±ｘ｝
である。
ただし、ｘは、好ましくは０．３５以下であり、より好ましくは０．３０以下であり、さらに好ましくは０．２５以下である。
【００８９】
＜２．第二の実施態様＞
本発明の第二の実施態様は、展示物が展示された空間を照明する照明方法であって、該照明方法は、所定の条件を満たす第１の発光装置により展示物を主として照射する第１照明ステップ、及び、所定の条件を満たす第２の発光装置により該展示物以外の空間を主として照射する第２照明ステップを含む。
また、他の態様は、展示物が展示された空間を照明する照明方法であって、該照明方法は、所定の条件を満たす第１の発光装置により展示物を主として照射する第１照明ステップ、所定の条件を満たす第２の発光装置により該展示物以外の空間を主として照射する第２照明ステップ、所定の条件を満たす第４の発光装置により該展示物が展示された空間の周辺の空間を主として照射する第４照明ステップを含む。
なお、所定の条件の記載は、特許文献１及び特許文献２の記載内容を参照して理解される。
該照明方法で用いる第１の発光装置は、所定の条件を満たせば、１種でも２種以上でもよく、個数として１でも２以上でもよい。また、該照明方法で用いる第２乃至第４の発光装置についても同様である。
【００９０】
また、以下では、該照明方法で用いる第１乃至第４照明ステップのそれぞれが満たす好ましい条件を記載するが、いずれの照明ステップも、該所定の条件の少なくとも１つを満たせばよく、より多くの条件を満たすことが好ましい。
【００９１】
（展示物）
本実施態様における展示物については、本発明の第一の実施態様に記載した展示物に関する記載が援用される。
【００９２】
（展示物が展示された空間）
本実施態様における展示物が展示された空間については、本発明の第一の実施態様に記載した展示物が展示された空間に関する記載が援用される。
【００９３】
（第１照明ステップ）
（Ｉ）
第１照明ステップは、第１の発光装置により展示物を主として照射する照明ステップであって、前記第１の発光装置から出射される光が、展示物を主として照明した際に、前記展示物の位置で測定した光が所定の条件を満たすように照明する照明ステップである。
第１の発光装置による「展示物を主として照射する」ことについては、本発明の第一の実施態様に記載した第１の発光装置に関する記載が援用される。
【００９４】
（Ｉ’−１）
Ｄｕｖが−０．０３００以上−０．００５０以下である。
Ｄｕｖは、好ましくは−０．０１２０以上、より好ましくは−０．０１１０以上、さらに好ましくは−０．０１００以上、よりさらに好ましくは−０．００９５以上である。一方で、好ましくは−０．００５２以下、より好ましくは−０．００５３以下、さらに好ましくは−０．００５５以下である。
【００９５】
（Ｉ’−２）
前記展示物の位置で測定した光による照明を数学的に仮定した場合の＃０１から＃１５の下記１５種類の修正マンセル色票のＣＩＥ  １９７６  Ｌ＊ａ＊ｂ＊色空間におけるａ＊値、ｂ＊値をそれぞれａ＊ｎＳＳＬ、ｂ＊ｎＳＳＬ（ただしｎは１から１５の自然数）とし、
前記展示物の位置で測定した光の相関色温度ＴＳＳＬ（Ｋ）に応じて選択される基準の光での照明を数学的に仮定した場合の当該１５種類の修正マンセル色票のＣＩＥ  １９７６  Ｌ＊ａ＊ｂ＊色空間におけるａ＊値、ｂ＊値をそれぞれａ＊ｎｒｅｆ、ｂ＊ｎｒｅｆ（ただしｎは１から１５の自然数）とした場合に、
飽和度差ΔＣｎ（ｎは１から１５の自然数）が−３．８以上１８．６以下を満たす。
ただし、ΔＣｎ（ｎは１から１５の自然数）＝√｛（ａ＊ｎＳＳＬ）２＋（ｂ＊ｎＳＳＬ）２｝−√｛（ａ＊ｎｒｅｆ）２＋（ｂ＊ｎｒｅｆ）２｝である。
ΔＣｎ（ｎは１から１５の自然数）は、好ましくは−３．０以上、より好ましくは−２．８以上、さらに好ましくは−２．５以上である。一方で、好ましくは１７．０以下、より好ましくは１６．０以下、さらに好ましくは１５．０以下である。
【００９６】
（Ｉ’−３）
前記ΔＣｎ（ｎは１〜１５のすべての整数）の平均が０．５以上１０．０以下である。
前記ΔＣｎ（ｎは１〜１５のすべての整数）の平均は、好ましくは１．０以上、より好ましくは１．５以上、さらに好ましくは２．０以上である。一方で、好ましくは７．０以下、より好ましくは６．８以下、さらに好ましくは６．５以下、よりさらに好ましくは５．０以下である。
【００９７】
（Ｉ’−４）
前記照明ステップに係る飽和度差ΔＣ１４が、
０  ≦  ΔＣ１４
を満たす。ただし、ΔＣ１４は前記ΔＣｎにおけるｎ＝１４の場合を示す。
ΔＣ１４は、好ましくは０．３以上、より好ましくは０．５以上、さらに好ましくは１．０以上である。一方で、好ましくは１５．０以下、より好ましくは１０．０以下、さらに好ましくは８．０以下である。
【００９８】
前記照明ステップは、好ましくは、前記第１の発光装置から出射される光が、展示物を主として照明した際に、前記展示物の位置で測定した光がさらに下記の条件を満たす。
（Ｉ’−５）
前記第１照明ステップにおける前記展示物の位置で測定した光について、
分光分布をφＳＳＬ（λ）、相関色温度ＴＳＳＬ（Ｋ）に応じて選択される基準の光の分光分布をφｒｅｆ（λ）、三刺激値を（ＸＳＳＬ、ＹＳＳＬ、ＺＳＳＬ）、相関色温度ＴＳＳＬ（Ｋ）に応じて選択される基準の光の三刺激値を（Ｘｒｅｆ、Ｙｒｅｆ、Ｚｒｅｆ）とし、
規格化分光分布ＳＳＳＬ（λ）と、相関色温度ＴＳＳＬ（Ｋ）に応じて選択される基準の光の規格化分光分布Ｓｒｅｆ（λ）と、これら規格化分光分布の差ΔＳＳＳＬ（λ）をそれぞれ、
ＳＳＳＬ（λ）＝φＳＳＬ（λ）／ＹＳＳＬ
Ｓｒｅｆ（λ）＝φｒｅｆ（λ）／Ｙｒｅｆ
ΔＳＳＳＬ（λ）＝Ｓｒｅｆ（λ）−ＳＳＳＬ（λ）
と定義し、
波長３８０ｎｍ以上７８０ｎｍ以内の範囲で、ＳＳＳＬ（λ）の最長波長極大値を与える波長をλＲ（ｎｍ）とした際に、前記λＲよりも長波長側にＳＳＳＬ（λＲ）／２となる波長Λ４が存在する場合においては、
下記数式（１）で表される指標Ａｃｇが−３０以上１２０以下であり、
一方、波長３８０ｎｍ以上７８０ｎｍ以内の範囲で、前記ＳＳＳＬ（λ）の最長波長極大値を与える波長をλＲ（ｎｍ）とした際に、前記λＲよりも長波長側にＳＳＳＬ（λＲ）／２となる波長Λ４が存在しない場合においては、
下記数式（２）で表される指標Ａｃｇが−３０以上１２０以下である。
【００９９】
【数７】
2018194168.tif 000009
【０１００】
【数８】
2018194168.tif 000010
【０１０１】
指標Ａｃｇは、好ましくは−２８以上、より好ましくは−２７以上、さらに好ましくは−２５以上である。一方で、好ましくは８０以下、より好ましくは５０以下、さらに好ましくは０以下である。
【０１０２】
（第２照明ステップ）
（ＩＩ’）
第２照明ステップは、第２の発光装置により前記第１の発光装置が主として照射した前記展示物以外の空間を主として照明する照明ステップであって、前記第２の発光装置から出射される光が展示物以外の空間を主として照明した際に、前記展示物以外の空間で測定した光が所定の条件を満たすように照明する照明ステップである。
第２の発光装置による「展示物以外の空間を主として照射する」ことについては、本発明の第一の実施態様に記載した第２の発光装置に関する記載が援用される。
【０１０３】
（ＩＩ’−１）
Ｄｕｖが−０．００７０以上０未満である。
Ｄｕｖは、好ましくは−０．００６９以上、より好ましくは−０．００６８以上、さらに好ましくは−０．００６５以上である。一方で、好ましくは−０．００１０以下、より好ましくは−０．００１５以下、さらに好ましくは−０．００２５以下である。
【０１０４】
（ＩＩ’−２）
前記展示物以外の空間で測定した光について、前記第１照明ステップの場合と同様に定義される飽和度差ΔＣｎ（ｎは１から１５の自然数）が−３．８以上１８．６以下を満たす。
飽和度差ΔＣｎ（ｎは１から１５の自然数）は、好ましくは−３．０以上、より好ましくは−２．８以上、さらに好ましくは−２．５以上である。一方で、好ましくは１７．０以下、より好ましくは１６．０以下、さらに好ましくは１５．０以下である。
【０１０５】
（ＩＩ’−３）
前記ΔＣｎ（ｎは１〜１５のすべての整数）の平均が０．５以上１０．０以下である。
前記ΔＣｎ（ｎは１〜１５のすべての整数）の平均は、好ましくは０．５５以上、より好ましくは０．６以上、さらに好ましくは０．７以上である。一方で、好ましくは７．０以下、より好ましくは６．５以下、さらに好ましくは５．５以下、よりさらに好ましくは４．０以下である。
【０１０６】
（ＩＩ’−４）
前記照明ステップに係る飽和度差ΔＣ１４が、
０  ≦  ΔＣ１４
を満たす。ただし、ΔＣ１４は前記ΔＣｎにおけるｎ＝１４の場合を示す。
ΔＣ１４は、好ましくは０．３以上、より好ましくは０．５以上、さらに好ましくは１．０以上である。一方で、好ましくは１５．０以下、より好ましくは１０．０以下、さらに好ましくは８．０以下である。
【０１０７】
前記照明ステップは、好ましくは、前記第２の発光装置から出射される光が展示物以外の空間を主として照明した際に、前記展示物以外の空間で測定した光がさらに下記の条件を満たす。
（ＩＩ’−５）
前記第２照明ステップにおける、前記第１の発光装置が主として照射した前記展示物以外の空間で測定した光について、前記第１照明ステップの場合と同様に定義される、
上記数式（１）で表される指標Ａｃｇが−３０以上１２０以下であり、
一方、上記数式（２）で表される指標Ａｃｇが−３０以上１２０以下である。
【０１０８】
指標Ａｃｇは、好ましくは−１０以上、より好ましくは−５以上、さらに好ましくは０以上である。一方で、好ましくは１１８以下、より好ましくは１１６以下、さらに好ましくは１１５以下である。
【０１０９】
（第１照明ステップと第２照明ステップとの関係）
本実施態様に係る照明方法は、第１照明ステップと第２照明ステップとの関係が、さらに下記の条件を満たす。
（ＩＩＩ’）
前記第１照明ステップに係るΔＣｎ（ｎは１〜１５のすべての整数）の平均をＳＡＴａｖｅ１とし、
前記第２照明ステップに係るΔＣｎ（ｎは１〜１５のすべての整数）の平均をＳＡＴａｖｅ２としたとき、
ＳＡＴａｖｅ２  ＜  ＳＡＴａｖｅ１
を満たす。
【０１１０】
また、本実施態様に係る照明方法は、第１照明ステップと第２照明ステップとの関係が、好ましくは、さらに下記の条件を満たす。
（ＩＶ’）
前記第１照明ステップに係るＤｕｖをＤｕｖＳＳＬ１とし、前記第２照明ステップに係るＤｕｖをＤｕｖＳＳＬ２としたとき、
ＤｕｖＳＳＬ１  ＜  ＤｕｖＳＳＬ２
を満たす。
【０１１１】
（Ｖ’）
前記ＤｕｖＳＳＬ１と前記ＤｕｖＳＳＬ２との差である｜ＤｕｖＳＳＬ２  −  ＤｕｖＳＳＬ１｜が、０より大きく０．００７０以下を満たす。
差｜ＤｕｖＳＳＬ２  −  ＤｕｖＳＳＬ１｜は、好ましくは０．００１０以上、より好ましくは０．００１２以上、さらに好ましくは０．００１５以上である。一方で、好ましくは０．００６５以下、より好ましくは０．００６０以下、さらに好ましくは０．００４０以下である。
【０１１２】
（ＶＩ’）
前記第１照明ステップに係る指標ＡｃｇをＡｃｇ（φＳＳＬ１（λ））とし、前記第２照明ステップに係る指標ＡｃｇをＡｃｇ（φＳＳＬ２（λ））としたとき、
Ａｃｇ（φＳＳＬ１（λ））  ＜  Ａｃｇ（φＳＳＬ２（λ））
を満たす。
【０１１３】
（ＶＩＩ’）
前記ＤｕｖＳＳＬ１に対する前記ＤｕｖＳＳＬ２の比であるＤｕｖＳＳＬ２／ＤｕｖＳＳＬ１が、０．２５以上０．７５以下を満たす。
比であるＤｕｖＳＳＬ２／ＤｕｖＳＳＬ１は、好ましくは０．３０以上、より好ましくは０．３５以上、さらに好ましくは０．４０以上である。一方で、好ましくは０．７０以下、より好ましくは０．６５以下、さらに好ましくは０．６０以下である。
【０１１４】
（第３照明ステップ）
本実施態様に係る照明方法は、好ましくは、更に、第３照明ステップを含む。
該第３照明ステップは、前記第３の発光装置により、前記第１の発光装置が主として照射する展示物でも前記第２の発光装置が主として照射する空間でもない空間を主として照射するステップである。前記第３の発光装置が主として照射する空間は、前記展示物が展示された空間が少なくとも１つの出入口を備えた閉鎖空間であって、該出入口のうちの１以上の出入口である。
本実施態様に係る照明方法は、前記第１照明ステップと前記第２照明ステップとを含んだ上で、該第３照明ステップを含んで後述の第４照明ステップを含まなくてもよいし、該第３照明ステップを含まずに後述の第４照明ステップを含んでもよいし、該第３照明ステップを含んでさらに後述の第４照明ステップを含んでもよい。
該第３の発光装置については、本発明の第一の実施態様に記載した第３の発光装置に関する記載が援用される。
【０１１５】
（第１照明ステップと第２照明ステップと第３照明ステップとの関係）
本実施態様に係る照明方法が前記第１照明ステップと前記第２照明ステップとを含んだ上で、後述の第４照明ステップを含まずに該第３照明ステップを含む場合、本実施態様に係る照明方法は、下記条件（ＶＩＩＩ’−１）乃至条件（ＶＩＩＩ’−４）の少なくとも１つを満たすことが好ましい。これにより、３種の発光装置からの出射されたそれぞれの光によって、全体的に違和感のないグラデーションが作られる。
すなわち、前記第１照明ステップにおいて、前記第１の発光装置から出射される光が、展示物を主として照明した際の、前記展示物の位置で測定した光、
前記第２照明ステップにおいて、前記第２の発光装置から出射される光が、前記第１の発光装置が主として照射した前記展示物以外の空間を主として照明した際の、該展示物以外の空間で測定した光、及び、
前記第３照明ステップにおいて、前記第３の発光装置から出射される光が、前記展示物が展示された空間が少なくとも１つの出入口を備えた閉鎖空間であって、該出入口のうちの１以上の出入口を主として照明した際の、該出入口のうちの１以上の出入口で測定した光が、
下記条件（ＶＩＩＩ’−１）乃至条件（ＶＩＩＩ’−４）の少なくとも１つを満たすように照明することが好ましい。
また、下記条件（ＶＩＩＩ’−１）及び下記条件（ＶＩＩＩ’−２）を共に満たす態様が好ましく、下記条件（ＶＩＩＩ’−３）及び下記条件（ＶＩＩＩ’−４）を共に満たす態様も好ましい。
また、下記条件（ＶＩＩＩ’−１）乃至条件（ＶＩＩＩ’−４）のすべてを満たすことが好ましい。
【０１１６】
（ＶＩＩＩ’−１）
前記第１照明ステップに係るＤｕｖをＤｕｖＳＳＬ１とし、前記第２照明ステップに係るＤｕｖをＤｕｖＳＳＬ２とし、前記第３照明ステップに係るＤｕｖをＤｕｖＳＳＬ３としたとき、
ＤｕｖＳＳＬ１  ＜  ＤｕｖＳＳＬ２  ＜  ＤｕｖＳＳＬ３
である。
【０１１７】
（ＶＩＩＩ’−２）
ＤｕｖＳＳＬ２  ＝  ＤｕｖＳＳＬ１  ＋（ＤｕｖＳＳＬ３  −  ＤｕｖＳＳＬ１）×｛（１／２）±ｘ｝
である。
ただし、ｘは、好ましくは０．３５以下であり、より好ましくは０．３０以下であり、さらに好ましくは０．２５以下である。
【０１１８】
（ＶＩＩＩ’−３）
前記第１照明ステップに係るΔＣｎ（ｎは１〜１５のすべての整数）の平均をＳＡＴａｖｅ１とし、
前記第２照明ステップに係るΔＣｎ（ｎは１〜１５のすべての整数）の平均をＳＡＴａｖｅ２とし、
前記第１照明ステップの場合と同様に定義される、前記第３照明ステップに係るΔＣｎ（ｎは１〜１５のすべての整数）の平均をＳＡＴａｖｅ３としたとき、
ＳＡＴａｖｅ３  ＜  ＳＡＴａｖｅ２  ＜  ＳＡＴａｖｅ１
である。
【０１１９】
（ＶＩＩＩ’−４）
ＳＡＴａｖｅ２  ＝  ＳＡＴａｖｅ１  ＋（ＳＡＴａｖｅ３  −  ＳＡＴａｖｅ１）×｛（１／２）±ｘ｝
である。
ただし、ｘは、好ましくは０．３５以下であり、より好ましくは０．３０以下であり、さらに好ましくは０．２５以下である。
【０１２０】
また、本実施態様に係る照明方法は、下記条件（ＶＩＩＩ’−５）を満たすことが好ましい。
（ＶＩＩＩ’−５）
前記第１照明ステップにおいて、前記第１の発光装置から出射される光が、展示物を主として照明した際の、前記展示物の位置で測定した光の相関色温度をＴＳＳＬ１（Ｋ）とし、
前記第２照明ステップにおいて、前記第２の発光装置から出射される光が、前記第１の発光装置が主として照射した前記展示物以外の空間を主として照明した際の、該展示物以外の空間で測定した光の相関色温度をＴＳＳＬ２（Ｋ）とし、
前記第３照明ステップにおいて、前記第３の発光装置から出射される光が、前記展示物が展示された空間が少なくとも１つの出入口を備えた閉鎖空間であって、該出入口のうちの１以上の出入口を主として照明した際の、該出入口のうちの１以上の出入口で測定した光の相関色温度をＴＳＳＬ３（Ｋ）とし、
該ＴＳＳＬ１（Ｋ）と該ＴＳＳＬ３（Ｋ）とを比較した際に、大きい方をＴＳＳＬ−Ｈ（Ｋ）とし、小さい方をＴＳＳＬ−Ｌ（Ｋ）とし、
該ＴＳＳＬ−Ｈ（Ｋ）の逆数の１００万倍をＭｉｒｅｄ−Ｈ（Ｋ−１）とし、該ＴＳＳＬ−Ｌ（Ｋ）の逆数の１００万倍をＭｉｒｅｄ−Ｌ（Ｋ−１）とし、該ＴＳＳＬ２（Ｋ）の逆数の１００万倍をＭｉｒｅｄ−２（Ｋ−１）としたときに、
Ｍｉｒｅｄ−２（Ｋ−１）  ＝  Ｍｉｒｅｄ−Ｌ（Ｋ−１）  ＋（Ｍｉｒｅｄ−Ｈ（Ｋ−１）  −  Ｍｉｒｅｄ−Ｌ（Ｋ−１））×｛（１／２）±ｘ｝
である。
ただし、ｘは、好ましくは０．３５以下であり、より好ましくは０．３０以下であり、さらに好ましくは０．２５以下である。
尚、Ｍｉｒｅｄ−Ｈ（Ｋ−１）、Ｍｉｒｅｄ−Ｌ（Ｋ−１）及びＭｉｒｅｄ−２（Ｋ−１）の技術的意義は、出願時の当業者であれば容易に理解することができる。
【０１２１】
（第４照明ステップ）
本実施態様に係る照明方法は、好ましくは、更に第４照明ステップを含む。
該第４照明ステップは、前記第４の発光装置により、前記第１の発光装置が主として照射する展示物でも、前記第２の発光装置が主として照射する空間でも、前記第３の発光装置が主として照射する空間でもない空間を主として照射するステップであって、該展示物が展示された空間の周辺の空間を主として照射するステップである。該周辺の空間とは、例えば、展示物が展示された空間が出入口を備えているが該出入口が閉まっていない閉鎖空間である場合におけるその周辺の空間である。したがって、該第４照明ステップの具体例としては、展示物が展示された空間として、ショッピングモールにおいて出入口を備えているが該出入口が閉まっていない閉鎖空間である店舗を考えた場合に、前記第４の発光装置により当該店舗の隣の店舗を主として照明するステップや、前記第４の発光装置により当該店舗の向かい側の店舗を主として照明するステップ、前記第４の発光装置により当該店舗の出入口に隣接する通路を主として照明するステップなどが挙げられる。
尚、本実施態様に係る照明方法は、上述の通り、前記第１照明ステップと前記第２照明ステップとを含んだ上で、前記第３照明ステップを含んで該第４照明ステップを含まなくてもよいし、前記第３照明ステップを含まずに該第４照明ステップを含んでもよいし、前記第３照明ステップを含んでさらに該第４照明ステップを含んでもよい。
該第４の発光装置については、本発明の第一の実施態様に記載した第４の発光装置に関する記載が援用される。
【０１２２】
（第１照明ステップと第２照明ステップと第４照明ステップとの関係）
本実施態様に係る照明方法が前記第１照明ステップと前記第２照明ステップとを含んだ上で、前記第３照明ステップを含まずに該第４照明ステップを含む場合、本実施態様に係る照明方法は、第１照明ステップと第２照明ステップと第４照明ステップとの関係が、下記条件（ＩＸ’−１）乃至条件（ＩＸ’−４）の少なくとも１つを満たすことが好ましい。これにより、３種の発光装置からの出射されたそれぞれの光によって、全体的に違和感のないグラデーションが作られる。
すなわち、前記第１照明ステップにおいて、前記第１の発光装置から出射される光が、展示物を主として照明した際の、前記展示物の位置で測定した光、
前記第２照明ステップにおいて、前記第２の発光装置から出射される光が、前記第１の発光装置が主として照射した前記展示物以外の空間を主として照明した際の、該展示物以外の空間で測定した光、及び、
前記第４照明ステップにおいて、前記第４の発光装置から出射される光が、該展示物が展示された空間の周辺の空間を主として照明した際の、該周辺の空間で測定した光が、
下記条件（ＩＸ’−１）乃至条件（ＩＸ’−４）の少なくとも１つを満たすように照明することが好ましい。
また、下記条件（ＩＸ’−１）及び下記条件（ＩＸ’−２）を共に満たす態様が好ましく、下記条件（ＩＸ’−３）及び下記条件（ＩＸ’−４）を共に満たす態様も好ましい。
また、下記条件（ＩＸ’−１）乃至条件（ＩＸ’−４）のすべてを満たすことが好ましい。
【０１２３】
（ＩＸ’−１）
前記第１照明ステップに係るＤｕｖをＤｕｖＳＳＬ１とし、前記第２照明ステップに係るＤｕｖをＤｕｖＳＳＬ２とし、前記第４照明ステップに係るＤｕｖをＤｕｖＳＳＬ４としたとき、
ＤｕｖＳＳＬ１  ＜  ＤｕｖＳＳＬ２  ＜  ＤｕｖＳＳＬ４
である。
【０１２４】
（ＩＸ’−２）
ＤｕｖＳＳＬ２  ＝  ＤｕｖＳＳＬ１  ＋（ＤｕｖＳＳＬ４  −  ＤｕｖＳＳＬ１）×｛（１／２）±ｘ｝
である。
ただし、ｘは、好ましくは０．３５以下であり、より好ましくは０．３０以下であり、さらに好ましくは０．２５以下である。
【０１２５】
（ＩＸ’−３）
前記第１照明ステップに係るΔＣｎ（ｎは１〜１５のすべての整数）の平均をＳＡＴａｖｅ１とし、
前記第２照明ステップに係るΔＣｎ（ｎは１〜１５のすべての整数）の平均をＳＡＴａｖｅ２とし、
前記第１照明ステップの場合と同様に定義される、前記第４照明ステップに係るΔＣｎ（ｎは１〜１５のすべての整数）の平均をＳＡＴａｖｅ４としたとき、
ＳＡＴａｖｅ４  ＜  ＳＡＴａｖｅ２  ＜  ＳＡＴａｖｅ１
である。
【０１２６】
（ＩＸ’−４）
ＳＡＴａｖｅ２  ＝  ＳＡＴａｖｅ１  ＋（ＳＡＴａｖｅ４  −  ＳＡＴａｖｅ１）×｛（１／２）±ｘ｝
である。
ただし、ｘは、好ましくは０．３５以下であり、より好ましくは０．３０以下であり、さらに好ましくは０．２５以下である。
【０１２７】
また、本実施態様に係る照明方法は、下記条件（ＩＸ’−５）を満たすことが好ましい。
（ＩＸ’−５）
前記第１照明ステップにおいて、前記第１の発光装置から出射される光が、展示物を主として照明した際の、前記展示物の位置で測定した光の相関色温度をＴＳＳＬ１（Ｋ）とし、
前記第２照明ステップにおいて、前記第２の発光装置から出射される光が、前記第１の発光装置が主として照射した前記展示物以外の空間を主として照明した際の、該展示物以外の空間で測定した光の相関色温度をＴＳＳＬ２（Ｋ）とし、
前記第４照明ステップにおいて、前記第４の発光装置から出射される光が、該展示物が展示された空間の周辺の空間を主として照明した際の、該周辺の空間で測定した光の相関色温度をＴＳＳＬ４（Ｋ）とし、
該ＴＳＳＬ１（Ｋ）と該ＴＳＳＬ４（Ｋ）とを比較した際に、大きい方をＴＳＳＬ−Ｈ（Ｋ）とし、小さい方をＴＳＳＬ−Ｌ（Ｋ）とし、
該ＴＳＳＬ−Ｈ（Ｋ）の逆数の１００万倍をＭｉｒｅｄ−Ｈ（Ｋ−１）とし、該ＴＳＳＬ−Ｌ（Ｋ）の逆数の１００万倍をＭｉｒｅｄ−Ｌ（Ｋ−１）とし、該ＴＳＳＬ２（Ｋ）の逆数の１００万倍をＭｉｒｅｄ−２（Ｋ−１）としたときに、
Ｍｉｒｅｄ−２（Ｋ−１）  ＝  Ｍｉｒｅｄ−Ｌ（Ｋ−１）  ＋（Ｍｉｒｅｄ−Ｈ（Ｋ−１）  −  Ｍｉｒｅｄ−Ｌ（Ｋ−１））×｛（１／２）±ｘ｝
である。
ただし、ｘは、好ましくは０．３５以下であり、より好ましくは０．３０以下であり、さらに好ましくは０．２５以下である。
尚、Ｍｉｒｅｄ−Ｈ（Ｋ−１）、Ｍｉｒｅｄ−Ｌ（Ｋ−１）及びＭｉｒｅｄ−２（Ｋ−１）の技術的意義は、出願時の当業者であれば容易に理解することができる。
【０１２８】
（第１照明ステップと第２照明ステップと第３照明ステップと第４照明ステップとの関係）
本実施態様に係る照明方法が前記第１乃至第４照明ステップを含む場合、本実施態様に係る照明方法は、下記条件（Ｘ’−１）乃至条件（Ｘ’−３）のすべてを満たすことが好ましい。
また、下記条件（Ｘ’−４）乃至条件（Ｘ’−６）のすべてを満たす態様も好ましい。
これにより、４種の発光装置からの出射されたそれぞれの光によって、全体的に違和感のないグラデーションが作られる。
【０１２９】
（Ｘ’−１）
ＤｕｖＳＳＬ１  ＜  ＤｕｖＳＳＬ２  ＜  ＤｕｖＳＳＬ３  ＜  ＤｕｖＳＳＬ４
である。
【０１３０】
（Ｘ’−２）
ＤｕｖＳＳＬ２  ＝  ＤｕｖＳＳＬ１  ＋（ＤｕｖＳＳＬ３  −  ＤｕｖＳＳＬ１）×｛（１／２）±ｘ｝
である。
ただし、ｘは、好ましくは０．３５以下であり、より好ましくは０．３０以下であり、さらに好ましくは０．２５以下である。
【０１３１】
（Ｘ’−３）
ＤｕｖＳＳＬ３  ＝  ＤｕｖＳＳＬ２  ＋（ＤｕｖＳＳＬ４  −  ＤｕｖＳＳＬ２）×｛（１／２）±ｘ｝
である。
ただし、ｘは、好ましくは０．３５以下であり、より好ましくは０．３０以下であり、さらに好ましくは０．２５以下である。
【０１３２】
（Ｘ’−４）
ＳＡＴａｖｅ４  ＜  ＳＡＴａｖｅ３  ＜  ＳＡＴａｖｅ２  ＜  ＳＡＴａｖｅ１
である。
【０１３３】
（Ｘ’−５）
ＳＡＴａｖｅ２  ＝  ＳＡＴａｖｅ１  ＋（ＳＡＴａｖｅ３  −  ＳＡＴａｖｅ１）×｛（１／２）±ｘ｝
である。
ただし、ｘは、好ましくは０．３５以下であり、より好ましくは０．３０以下であり、さらに好ましくは０．２５以下である。
【０１３４】
（Ｘ’−６）
ＳＡＴａｖｅ３  ＝  ＳＡＴａｖｅ２  ＋（ＳＡＴａｖｅ４  −  ＳＡＴａｖｅ２）×｛（１／２）±ｘ｝
である。
ただし、ｘは、好ましくは０．３５以下であり、より好ましくは０．３０以下であり、さらに好ましくは０．２５以下である。
【０１３５】
＜３．発光装置の好ましい実施形態＞
本発明の第一の実施態様及び第二の実施態様において用いる発光装置の好ましい実施形態を以下に説明するが、以下の説明で用いたものに限定されない。
【０１３６】
まず、当該３波長領域の中のΛ１（３８０ｎｍ）からΛ２（４９５ｎｍ）の短波長領域においては、熱フィラメント等からの熱放射光、蛍光管、高圧ナトリウムランプ等からの放電放射光、レーザ等からの誘導放出光、半導体発光素子からの自然放出光、蛍光体からの自然放出光等あらゆる光源から出る光を含むことが可能である。この中でも特に光励起された蛍光体からの発光、半導体発光素子からの発光、半導体レーザからの発光は、小型で、エネルギー効率が高く、比較的狭帯域発光も可能であることから、好ましい。
半導体発光素子としては、サファイア基板上やＧａＮ基板上に形成されたＩｎ（Ａｌ）ＧａＮ系材料を活性層構造中に含む紫色発光素子（ピーク波長が３９５ｎｍから４２０ｎｍ程度）、青紫色発光素子（ピーク波長が４２０ｎｍから４５５ｎｍ程度）、青色発光素子（ピーク波長が４５５ｎｍから４８５ｎｍ程度）が好ましい。さらに、ＧａＡｓ基板上に形成されたＺｎ（Ｃｄ）（Ｓ）Ｓｅ系材料を活性層構造中に含む青色発光素子（ピーク波長が４５５ｎｍから４８５ｎｍ程度）も好ましい。
【０１３７】
次いで、当該３波長領域の中のΛ２（４９５ｎｍ）からΛ３（５９０ｎｍ）の中間波長領域においては、熱フィラメント等からの熱放射光、蛍光管、高圧ナトリウムランプ等からの放電放射光、非線形光学効果を用いた二次高調波発生（ＳＨＧ）等を含むレーザ等からの誘導放出光、半導体発光素子からの自然放出光、蛍光体からの自然放出光等あらゆる光源から出る光を含むことが可能である。この中でも特に光励起された蛍光体からの発光、半導体発光素子からの発光、半導体レーザ、ＳＨＧレーザからの発光は、小型で、エネルギー効率が高く、比較的狭帯域発光も可能であることから、好ましい。
半導体発光素子としては、サファイア基板上あるいはＧａＮ基板上のＩｎ（Ａｌ）ＧａＮ系材料を活性層構造中に含む青緑発光素子（ピーク波長が４９５ｎｍから５００ｎｍ程度）、緑色発光素子（ピーク波長が５００ｎｍから５３０ｎｍ程度）、黄緑色発光素子（ピーク波長が５３０ｎｍから５７０ｎｍ程度）、黄色発光素子（ピーク波長が５７０ｎｍから５８０ｎｍ程度）が好ましい。また、ＧａＰ基板上のＧａＰによる黄緑色発光素子（ピーク波長が５３０ｎｍから５７０ｎｍ程度）、ＧａＰ基板上のＧａＡｓＰによる黄色発光素子（ピーク波長が５７０ｎｍから５８０ｎｍ程度）も好ましい。さらに、ＧａＡｓ基板上のＡｌＩｎＧａＰによる黄色発光素子（ピーク波長が５７０ｎｍから５８０ｎｍ程度）も好ましい。
【０１３８】
次いで、当該３波長領域の中のΛ３（５９０ｎｍ）から７８０ｎｍの長波長領域においては、熱フィラメント等からの熱放射光、蛍光管、高圧ナトリウムランプ等からの放電放射光、レーザ等からの誘導放出光、半導体発光素子からの自然放出光、蛍光体からの自然放出光等あらゆる光源から出る光を含むことが可能である。この中でも特に光励起された蛍光体からの発光、半導体発光素子からの発光、半導体レーザからの発光は、小型で、エネルギー効率が高く、比較的狭帯域発光も可能であることから、好ましい。
半導体発光素子としては、ＧａＡｓ基板上に形成されたＡｌＧａＡｓ系材料、ＧａＡｓ基板上に形成された（Ａｌ）ＩｎＧａＰ系材料を活性層構造中に含む橙発光素子（ピーク波長が５９０ｎｍから６００ｎｍ程度）、赤色発光素子（６００ｎｍから７８０ｎｍ）が好ましい。また、ＧａＰ基板上に形成されたＧａＡｓＰ系材料を活性層構造中に含む赤色発光素子（６００ｎｍから７８０ｎｍ）が好ましい。
【０１３９】
上記短波長領域、中波長領域、長波長領域の蛍光体材料としては、いずれの波長領域においても公知の蛍光体を用いることができる。
【０１４０】
本発明の第一の実施態様及び第二の実施態様で用いる発光装置に用いる中間波長領域の緑色蛍光体材料の具体例としては、Ｃｅ３＋を付活剤としたアルミン酸塩、Ｃｅ３＋を付活剤としたイットリウムアルミニウム酸化物、Ｅｕ２＋付活アルカリ土類ケイ酸塩結晶、Ｅｕ２＋付活アルカリ土類ケイ酸窒化物を母体とする緑色蛍光体がある。これらの緑色蛍光体は、通常、紫外〜青色半導体発光素子を用いて励起可能である。
【０１４１】
Ｃｅ３＋付活アルミン酸塩蛍光体の具体例には、下記一般式（１）で表される緑色蛍光体が挙げられる。
Ｙａ（Ｃｅ，Ｔｂ，Ｌｕ）ｂ（Ｇａ，Ｓｃ）ｃＡｌｄＯｅ    （１）
（一般式（１）において、ａ、ｂ、ｃ、ｄ、ｅが、ａ＋ｂ＝３、０≦ｂ≦０．２、４．５≦ｃ＋ｄ≦５．５、０．１≦ｃ≦２．６、および１０．８≦ｅ≦１３．４を満たす。）（一般式（１）で表されるＣｅ３＋付活アルミン酸塩蛍光体をＧ−ＹＡＧ蛍光体と呼ぶ。）
特にＧ−ＹＡＧ蛍光体においては、一般式（１）を満たす前記組成範囲を適宜選択可能である。さらに、蛍光体単体の光励起時の発光強度最大値を与える波長と半値全幅が、本発明の第一の実施態様及び第二の実施態様で用いる発光装置において好ましくなるのは以下の範囲である。
０．０１≦ｂ≦０．０５かつ０．１≦ｃ≦２．６である事が好ましく、
０．０１≦ｂ≦０．０５かつ０．３≦ｃ≦２．６である事がより好ましく、
０．０１≦ｂ≦０．０５かつ１．０≦ｃ≦２．６である事が非常に好ましい。
また、
０．０１≦ｂ≦０．０３かつ０．１≦ｃ≦２．６である事も好ましく、
０．０１≦ｂ≦０．０３かつ０．３≦ｃ≦２．６である事がより好ましく、
０．０１≦ｂ≦０．０３かつ１．０≦ｃ≦２．６である事が非常に好ましい。
【０１４２】
Ｃｅ３＋付活イットリウムアルミニウム酸化物系蛍光体の具体例には、下記一般式（２）で表される緑色蛍光体が挙げられる。
Ｌｕａ（Ｃｅ，Ｔｂ，Ｙ）ｂ（Ｇａ，Ｓｃ）ｃＡｌｄＯｅ    （２）
（一般式（２）において、ａ、ｂ、ｃ、ｄ、ｅが、ａ＋ｂ＝３、０≦ｂ≦０．２、４．５≦ｃ＋ｄ≦５．５、０≦ｃ≦２．６、および１０．８≦ｅ≦１３．４を満たす。）（一般式（２）で表されるＣｅ３＋付活イットリウムアルミニウム酸化物系蛍光体をＬｕＡＧ蛍光体と呼ぶ。）
特にＬｕＡＧ蛍光体においては、一般式（２）を満たす前記組成範囲を適宜選択可能である。さらには、蛍光体単体の光励起時の発光強度最大値を与える波長と半値全幅が、本発明の第一の実施態様及び第二の実施態様で用いる発光装置において好ましくなるのは以下の範囲である。
０．００≦ｂ≦０．１３である事が好ましく、
０．０２≦ｂ≦０．１３である事がより好ましく、
０．０２≦ｂ≦０．１０である事が非常に好ましい。
【０１４３】
その他、下記一般式（３）で表される緑色蛍光体が挙げられる。
Ｍ１ａＭ２ｂＭ３ｃＯｄ    （３）
（一般式（３）において、Ｍ１は２価の金属元素、Ｍ２は３価の金属元素、Ｍ３は４価の金属元素をそれぞれ示し、ａ、ｂ、ｃおよびｄが、２．７≦ａ≦３．３、１．８≦ｂ≦２．２、２．７≦ｃ≦３．３、１１．０≦ｄ≦１３．０を満たす。）（一般式（３）で表される蛍光体をＣＳＭＳ蛍光体と呼ぶ。）
【０１４４】
なお、上記式（３）において、Ｍ１は２価の金属元素であるが、Ｍｇ、Ｃａ、Ｚｎ、Ｓｒ、Ｃｄ、及びＢａからなる群から選択された少なくとも１種であるのが好ましく、Ｍｇ、Ｃａ、又はＺｎであるのが更に好ましく、Ｃａが特に好ましい。この場合、Ｃａは単独系でもよく、Ｍｇとの複合系でもよい。また、Ｍ１は他の２価の金属元素を含んでいてもよい。
Ｍ２は３価の金属元素であるが、Ａｌ、Ｓｃ、Ｇａ、Ｙ、Ｉｎ、Ｌａ、Ｇｄ、及びＬｕからなる群から選択された少なくとも１種であるのが好ましく、Ａｌ、Ｓｃ、Ｙ、又はＬｕであるのが更に好ましく、Ｓｃが特に好ましい。この場合、Ｓｃは単独系でもよく、ＹまたはＬｕとの複合系でもよい。また、Ｍ2はＣｅを含むことを必須とし、Ｍ２は他の３価の金属元素を含んでいてもよい。
Ｍ３は４価の金属元素であるが、少なくともＳｉを含むことが好ましい。Ｓｉ以外の４価の金属元素Ｍ３の具体例としては、Ｔｉ、Ｇｅ、Ｚｒ、Ｓｎ、及びＨｆからなる群から選択された少なくとも１種であるのが好ましく、Ｔｉ、Ｚｒ、Ｓｎ、及びＨｆからなる群から選択された少なくとも１種であるのがより好ましく、Ｓｎであることが特に好ましい。特に、Ｍ３がＳｉであることが好ましい。また、Ｍ３は他の４価の金属元素を含んでいてもよい。
【０１４５】
特にＣＳＭＳ蛍光体においては、一般式（３）を満たす前記組成範囲を適宜選択可能である。さらには、蛍光体単体の光励起時の発光強度最大値を与える波長と半値全幅が、本発明の第一の実施態様及び第二の実施態様で用いる発光装置において好ましい範囲となるためには、Ｍ２に含まれるＣｅのＭ２全体に占める割合の下限は０．０１以上であることが好ましく、０．０２以上であることがより好ましい。また、Ｍ２に含まれるＣｅのＭ２全体に占める割合の上限は、０．１０以下であることが好ましく、０．０６以下であることがより好ましい。更に、Ｍ１元素に含まれるＭｇのＭ１全体に占める割合の下限は０．０１以上であることが好ましく、０．０３以上であることがより好ましい。一方、上限は０．３０以下であることが好ましく、０．１０以下であることがより好ましい。
【０１４６】
さらに、下記一般式（４）で表される緑色蛍光体が挙げられる。
Ｍ１ａＭ２ｂＭ３ｃＯｄ    （４）
（一般式（４）において、Ｍ１は少なくともＣｅを含む付活剤元素、Ｍ２は２価の金属元素、Ｍ３は３価の金属元素をそれぞれ示し、ａ、ｂ、ｃおよびｄが、０．０００１≦ａ≦０．２、０．８≦ｂ≦１．２、１．６≦ｃ≦２．４、および３．２≦ｄ≦４．８を満たす。）（一般式（４）で表される蛍光体をＣＳＯ蛍光体と呼ぶ。）
【０１４７】
なお、上記式（４）において、Ｍ１は、結晶母体中に含有される付活剤元素であり、少なくともＣｅを含む。また、Ｃｒ、Ｍｎ、Ｆｅ、Ｃｏ、Ｎｉ、Ｃｕ、Ｃｅ、Ｐｒ、Ｎｄ、Ｓｍ、Ｅｕ、Ｔｂ、Ｄｙ、Ｈｏ、Ｅｒ、Ｔｍ、及びＹｂからなる群から選択された少なくとも１種の２〜４価の元素を含有させることができる。
Ｍ２は２価の金属元素であるが、Ｍｇ、Ｃａ、Ｚｎ、Ｓｒ、Ｃｄ、及びＢａからなる群から選択された少なくとも１種であるのが好ましく、Ｍｇ、Ｃａ、又は、Ｓｒであるのが更に好ましく、Ｍ２の元素の５０モル％以上がＣａであることが特に好ましい。
Ｍ３は３価の金属元素であるが、Ａｌ、Ｓｃ、Ｇａ、Ｙ、Ｉｎ、Ｌａ、Ｇｄ、Ｙｂ、及びＬｕからなる群から選択された少なくとも１種であるのが好ましく、Ａｌ、Ｓｃ、Ｙｂ、又はＬｕであるのが更に好ましく、Ｓｃ、又はＳｃとＡｌ、又はＳｃとＬｕであるのがより一層好ましく、Ｍ３の元素の５０モル％以上がＳｃであることが特に好ましい。
Ｍ２及びＭ３は、それぞれ２価及び３価の金属元素を表すが、Ｍ２及び／又はＭ３のごく一部を１価、４価、５価のいずれかの価数の金属元素としてもよく、さらに、微量の陰イオン、たとえば、ハロゲン元素（Ｆ、Ｃｌ、Ｂｒ、Ｉ）、窒素、硫黄、セレンなどが、化合物の中に含まれていてもよい。
【０１４８】
特にＣＳＯ蛍光体においては、一般式（４）を満たす前記組成範囲を適宜選択可能である。さらには、蛍光体単体の光励起時の発光強度最大値を与える波長と半値全幅が、本発明の第一の実施態様及び第二の実施態様で用いる発光装置において好ましくなるのは以下の範囲である。
０．００５≦ａ≦０．２００である事が好ましく、
０．００５≦ａ≦０．０１２である事がより好ましく、
０．００７≦ａ≦０．０１２である事が非常に好ましい。
【０１４９】
さらに、Ｅｕ２＋付活アルカリ土類ケイ酸塩結晶を母体とする蛍光体の具体例には、下記一般式（５）で表される緑色蛍光体が挙げられる。
ＢａａＣａｂＳｒｃＭｇｄＥｕｘＳｉＯ４    （５）
（一般式（５）においてａ、ｂ、ｃ、ｄおよびｘが、ａ＋ｂ＋ｃ＋ｄ＋ｘ＝２、１．０≦ａ≦２．０、０≦ｂ＜０．２、０．２≦ｃ≦１，０、０≦ｄ＜０．２および０＜ｘ≦０．５を満たす。）（一般式（５）で表されるアルカリ土類ケイ酸塩蛍光体をＢＳＳ蛍光体と呼ぶ。）
ＢＳＳ蛍光体においては、一般式（５）を満たす前記組成範囲を適宜選択可能である。さらには、蛍光体単体の光励起時の発光強度最大値を与える波長と半値全幅が、本発明の第一の実施態様及び第二の実施態様で用いる発光装置において好ましくなるのは以下の範囲である。
０．２０≦ ｃ ≦１．００かつ０．２５＜ ｘ ≦ ０．５０である事がより好ましく、
０．２０≦ ｃ ≦ １．００かつ０．２５＜ｘ ≦ ０．３０である事が非常に好ましい。
さらに、
０．５０≦ ｃ ≦ １．００かつ０．００＜ｘ ≦ ０．５０である事が好ましく、
０．５０≦ ｃ ≦ １．００かつ０．２５＜ｘ ≦ ０．５０である事がより好ましく、
０．５０≦ ｃ ≦ １．００かつ０．２５＜ｘ ≦ ０．３０である事が非常に好ましい。
【０１５０】
さらに、Ｅｕ２＋付活アルカリ土類ケイ酸窒化物を母体とする蛍光体の具体例には、下記一般式（６）で表される緑色蛍光体が挙げられる。
（Ｂａ，Ｃａ，Ｓｒ，Ｍｇ，Ｚｎ，Ｅｕ）３Ｓｉ６Ｏ１２Ｎ２    （６）
（これをＢＳＯＮ蛍光体と呼ぶ）。
ＢＳＯＮ蛍光体においては、一般式（６）を満たす前記組成範囲を適宜選択可能である。さらには、蛍光体単体の光励起時の発光強度最大値を与える波長と半値全幅が、本発明の第一の実施態様及び第二の実施態様で用いる発光装置において好ましくなるのは以下の範囲である。
一般式（６）において選択できる2価金属元素（Ｂａ，Ｃａ，Ｓｒ，Ｍｇ，Ｚｎ，Ｅｕ）のうち、ＢａとＳｒとＥｕの組合せとすることが好ましく、さらには、Ｂａに対するＳｒの比率は１０〜３０％とすることがより好ましい。
【０１５１】
また、上述した諸条件を満たし、本発明の第一の実施態様及び第二の実施態様の効果が得られる場合には、その他、（Ｙ１−ｕＧｄｕ）３（Ａｌ１−ｖＧａｖ）５Ｏ１２：Ｃｅ，Ｅｕ（但し、ｕ及びｖはそれぞれ０≦ｕ≦０．３、及び０≦ｖ≦０．５を満たす。）で表されるイットリウム・アルミニウム・ガーネット系蛍光体（これをＹＡＧ蛍光体と呼ぶ。）や、Ｃａ１．５ｘＬａ３−ＸＳｉ６Ｎ１１：Ｃｅ（但し、ｘは、０≦ｘ≦１）で表されるランタン窒化ケイ素蛍光体（これをＬＳＮ蛍光体と呼ぶ。）などの黄色蛍光体を含んでもよい。また、Ｅｕ２＋付活サイアロン結晶を母体とするＳｉ６−ｚＡｌｚＯｚＮ８−ｚ：Ｅｕ（ただし０＜ｚ＜４．２）で表される狭帯域緑色蛍光体や（これをβ−ＳｉＡｌＯＮ蛍光体と呼ぶ。）やＣａ８ＭｇＳｉ４Ｏ１６Ｃｌ２：Ｅｕ（これをクロロシリケート蛍光体と呼ぶ。なお、クロロシリケート蛍光体と結晶構造が同一で、元素の一部が置換された蛍光体も、クロロシリケート蛍光体に含まれる）を含んでもよい。ただし、前述のとおり、これら狭帯域緑色蛍光体、黄色蛍光体のみを中間波長領域の発光要素として発光装置を構成すると、照明対象物の所望の色の見えは実現困難となる。よって、本発明の第一の実施態様及び第二の実施態様で用いる発光装置においては、黄色蛍光体あるいは狭帯域緑色蛍光体等を、他の半導体発光素子、広帯域蛍光体等と組み合わせて使用する事は可能ではあるが、必ずしも好ましくない。中間波長領域の発光要素としては、広帯域緑色蛍光体を用いる事が好ましい。
【０１５２】
本発明の第一の実施態様及び第二の実施態様で用いる発光装置に用いる長波長領域の蛍光体材料の具体例としては、Ｅｕ２＋を付活剤とし、アルカリ土類ケイ窒化物、αサイアロンまたはアルカリ土類ケイ酸塩からなる結晶を母体とする蛍光体が挙げられる。この種の赤色蛍光体は、通常、紫外〜青色半導体発光素子を用いて励起可能である。
【０１５３】
アルカリ土類ケイ窒化物結晶を母体とするものの具体例には、ＣａＡｌＳｉＮ３：Ｅｕで表される蛍光体（これをＣＡＳＮ蛍光体と呼ぶ。）、（Ｃａ，Ｓｒ，Ｂａ，Ｍｇ）ＡｌＳｉＮ３：Ｅｕおよび／または（Ｃａ，Ｓｒ，Ｂａ）ＡｌＳｉＮ３：Ｅｕで表される蛍光体（これをＳＣＡＳＮ蛍光体と呼ぶ。）、（ＣａＡｌＳｉＮ３）１−ｘ（Ｓｉ２Ｎ２Ｏ）ｘ：Ｅｕ（ただし、ｘは０＜ｘ＜０．５）で表される蛍光体（これをＣＡＳＯＮ蛍光体と呼ぶ。）、（Ｓｒ，Ｃａ，Ｂａ）２ＡｌｘＳｉ５−ｘＯｘＮ８−ｘ：Ｅｕ（ただし０≦ｘ≦２）で表される蛍光体、Ｅｕｙ（Ｓｒ，Ｃａ，Ｂａ）１−ｙ：Ａｌ１＋ｘＳｉ４−ｘＯｘＮ７−ｘ（ただし０≦ｘ＜４、０≦ｙ＜０．２）で表される蛍光体が挙げられる。
【０１５４】
その他、Ｍｎ４＋付活フッ化物錯体蛍光体も挙げられる。Ｍｎ４＋付活フッ化物錯体蛍光体は、Ｍｎ４＋を付活剤とし、アルカリ金属、アミンまたはアルカリ土類金属のフッ化物錯体塩を母体結晶とする蛍光体である。母体結晶を形成するフッ化物錯体には、配位中心が３価金属（Ｂ、Ａｌ、Ｇａ、Ｉｎ、Ｙ、Ｓｃ、ランタノイド）のもの、４価金属（Ｓｉ、Ｇｅ、Ｓｎ、Ｔｉ、Ｚｒ、Ｒｅ、Ｈｆ）のもの、５価金属（Ｖ、Ｐ、Ｎｂ、Ｔａ）のものがあり、その周りに配位するフッ素原子の数は５〜７である。
【０１５５】
具体的には、Ｍｎ４＋付活フッ化物錯体蛍光体は、アルカリ金属のヘキサフルオロ錯体塩を母体結晶とするＡ２＋ｘＭｙＭｎｚＦｎ（ＡはＮａおよび／またはＫ；ＭはＳｉおよびＡｌ；−１≦ｘ≦１かつ０．９≦ｙ＋ｚ≦１．１かつ０．００１≦ｚ≦０．４かつ５≦ｎ≦７）などが挙げられる。この中でも、ＡがＫ（カリウム）またはＮａ（ナトリウム）から選ばれる１種以上で、ＭがＳｉ（ケイ素）、Ｔｉ（チタン）、またはＧｅ（ゲルマニウム）であるもの、例えば、Ｋ２ＳｉＦ６：Ｍｎ（これをＫＳＦ蛍光体と呼ぶ。）、この構成元素の一部（好ましくは１０モル％以下）をＡｌとＮａで置換したＫ２Ｓｉ１−ｘＮａｘＡｌｘＦ６：Ｍｎ（これをＫＳＮＡＦ蛍光体と呼ぶ。）、Ｋ２ＴｉＦ６：Ｍｎ（これをＫＴＦ蛍光体と呼ぶ。）、Ｋ２ＧｅＦ６：Ｍｎ（これをＫＧＦ蛍光体と呼ぶ。）などが挙げられる。
【０１５６】
その他、下記一般式（７）で表される蛍光体、および下記一般式（８）で表される蛍光体も挙げられる。
（Ｌａ１−ｘ−ｙＥｕｘＬｎｙ）２Ｏ２Ｓ    （７）
（一般式（７）において、ｘ及びｙはそれぞれ０．０２≦ｘ≦０．５０及び０≦ｙ≦０．５０を満たす数を表し、ＬｎはＹ、Ｇｄ、Ｌｕ、Ｓｃ、Ｓｍ及びＥｒの少なくとも１種の３価希土類元素を表す。）（一般式（７）で表される酸硫化ランタン蛍光体をＬＯＳ蛍光体と呼ぶ。）
（ｋ−ｘ）ＭｇＯ・ｘＡＦ２・ＧｅＯ２：ｙＭｎ４＋    （８）
（一般式（８）において、ｋ、ｘ、ｙは、各々、２．８≦ｋ≦５、０．１≦ｘ≦０．７、０．００５≦ｙ≦０．０１５を満たす数を表し、Ａはカルシウム（Ｃａ）、ストロンチウム（Ｓｒ）、バリウム（Ｂａ）、亜鉛（Ｚｎ）、またはこれらの混合物である。）（一般式（８）で表されるジャーマネート蛍光体をＭＧＯＦ蛍光体と呼ぶ。）
【０１５７】
本発明の第一の実施態様及び第二の実施態様においては、ＣＡＳＮ蛍光体、ＣＡＳＯＮ蛍光体、ＳＣＡＳＮ蛍光体のうち１種のみを発光装置に含む構成は、光源効率を向上させるうえで好ましい。
一方で、ＫＳＦ蛍光体、ＫＳＮＡＦ蛍光体、ＫＴＦ蛍光体、ＫＧＦ蛍光体、ＬＯＳ蛍光体、ＭＧＯＦ蛍光体は、その半値幅がそれぞれ、６ｎｍ程度、６ｎｍ程度、６ｎｍ程度、６ｎｍ程度、４ｎｍ程度、１６ｎｍ程度と極端に狭いが、これら蛍光体を、ＣＡＳＮ蛍光体、ＣＡＳＯＮ蛍光体、ＳＣＡＳＮ蛍光体等と組み合わせて使用する事は、発光装置の分光分布φＳＳＬ（λ）に適切な範囲で凹凸を形成し得る場合があり、好ましい。
【０１５８】
Ｄｕｖを０から低下させ、適切な負値にするには、種々の手段が考えられる。たとえば当該３波長領域それぞれにひとつの発光要素を有する発光装置を想定すれば、短波長領域内の発光要素の発光位置をさらに短波長側に移動させる、長波長領域内の発光要素の発光位置をさらに長波長側に移動させる、中間波長領域内の発光要素の発光位置を５５５ｎｍからずらすなどのことが可能である。さらに、短波長領域内の発光要素の相対的発光強度を上げる、長波長領域内の発光要素の相対的発光強度を上げる、中間波長領域内の発光要素の相対的発光強度を下げるなどのことが可能である。さらに、Ｄｕｖを正側に変化させるには、上記記載と逆の操作を行えばよい。
【実施例】
【０１５９】
以下、本発明を実施例によりさらに具体的に説明するが、本発明はその要旨を逸脱しない限り、下記の実施例に限定されるものではない。また、いずれの実施例も屋内で実施したものである。尚、以下の第３の発光装置は第４の発光装置であってもよい。このとき、第３の発光装置が複数である場合には、そのすべてが第４の発光装置であってもよいし、一部が第４の発光装置であってもよい。これにより、展示物が展示された空間の周辺の空間を主として照射する第４の発光装置を用いた場合の実施例が示される。【０１６０】
（光源）
以下の実施例では、表１の発光装置を用いた。例として説明すれば、表１の光源７は、そのＤｕｖが−０．０２２９であって第１の発光装置として用いることができる。また、光源１１は、そのΔＣ１４が負（−２．３８）であって第２の発光装置として用いることができる。また、光源８〜１０は第３の発光装置として用いることができ、上述の通り、これらは第４の発光装置として用いることもできる。【０１６１】
【表１】
2018194168.tif 000011
【０１６２】
＜１．発光装置から出射された光の見え＞
上記「光源」欄に記載した発光装置のうち表２に記載の組合せを用いて空間を照射した際に、両発光装置から出射された光の色の見た目に違和感があるかどうかを検討した。尚、以下の実施例では、第１の発光装置は展示物を照射していないが、該空間に展示物が存在する場合であって、第１の発光装置で該展示物を主として照射する場合も以下と同様の結果が得られることは容易に推測される。【０１６３】
【表２】
2018194168.tif 000012
【０１６４】
［実施例１−１］
・第１の発光装置：光源５
・第２の発光装置：光源３
第１の発光装置として光源５、第２の発光装置として光源３を用いた。図１に示すように、両発光装置の光野が一部重複するように空間を照射した。
第１の発光装置から出射された光の色と第２の発光装置から出射された光の色との間の見た目に違和感はなく、別々の光には見えなかった。【０１６５】
［実施例１−２］
・第１の発光装置：光源５
・第２の発光装置：光源３
・第３の発光装置：光源１
第１の発光装置として光源５、第２の発光装置として光源３、第３の発光装置として光源１を用いた。図２に示すように、第１の発光装置、第２の発光装置、および第３の発光装置をこの順に並べ、第１の発光装置の光野と第２の発光装置の光野とが一部重複し、かつ、第２の発光装置の光野と第３の発光装置の光野とが一部重複するが、第１の発光装置の光野と第３の発光装置の光野とは重複しないように並べた。
３種の発光装置からの光は連続し、第１の発光装置から出射された光の色と第２のから出射された光の色との間の見た目に違和感はなく、別々の光には見えなかった。また、第２の発光装置から出射された光の色と第３のから出射された光の色との間の見た目に違和感はなく、別々の光には見えなかった。【０１６６】
［比較例１−１］
・第１の発光装置：光源５
・第３の発光装置：光源１
第１の発光装置として光源５、第３の発光装置として光源１を用いた。図３に示すように、両発光装置の光野が一部重複するように空間を照射した。
第３の発光装置から出射された光の色に対して、第１の発光装置から出射された光の色は薄桃色がかって見え、第１の発光装置から出射された光の色と第３の発光装置から出射された光の色との間の見た目に違和感があり、別々の光であると認識された。【０１６７】
［参考例１−１］
・第２の発光装置：光源３
・第３の発光装置：光源１
第２の発光装置として光源３、第３の発光装置として光源１を用いた。図４に示すように、両発光装置の光野が一部重複するように空間を照射した。
第１の発光装置から出射された光の色と第３の発光装置から出射された光の色との間の見た目に違和感はなく、別々の光には見えなかった。【０１６８】
［まとめ］
複数の発光装置から出射される光の色が違和感なく見えるためには、第１の発光装置および第２の発光装置を用いればよく、第１の発光装置および第２の発光装置に加えて第３の発光装置を用いる場合には、第１の発光装置の光野と第３の発光装置の光野との間に、第２の発光装置の光野が存在するのが好ましいことが分かった。【０１６９】
また、比較例１−１から分かるように、第１の発光装置（光源５）と第３の発光装置（光源１）とは相関色温度が約３０００Ｋでほぼ同一であるにもかかわらず、第１の発光装置から出射された光の色と第３の発光装置から出射された光の色との間の見た目に違和感があり、別々の光であると認識された。【０１７０】
＜２．空間内の特定の位置における照度と明るさの知覚とについて＞
上記「光源」欄に記載した発光装置を用いて空間を照射した際の、該空間内の特定の位置における照度と明るさの知覚とについて検討した。尚、以下の実験例では、第１の発光装置は展示物を照射していないが、該空間に展示物が存在する場合であって、第１の発光装置で該展示物を主として照射する場合も以下と同様の結果が得られることは容易に推測される。【０１７１】
［参考実験例２−１］
・屋内照明：第３の発光装置（光源２、照度：４５０ルクス）
・スポットライト：第３の発光装置（光源１、照度：４２７０ルクス）
屋内照明としての第３の発光装置（光源２、照度：４５０ルクス）と、スポットライトとしての第３の発光装置（光源１、照度：４２７０ルクス）とを、図５に示すように、屋内照明の光野にスポットライトの光野が収まるように設置して実験を行った。【０１７２】
表３に記載された組合せを用いたこと以外は参考実験例２−１と同様に、参考実験例２−２ないし参考実験例２−４を行った。【０１７３】
【表３】
2018194168.tif 000013
【０１７４】
［実験例２−１］
・屋内照明：第２の発光装置（光源３、照度：４００ルクス）
・スポットライト：第３の発光装置（光源１、照度：８６００ルクス）
屋内照明として第２の発光装置（光源３、照度：４００ルクス）と、スポットライトとして第３の発光装置（光源１、照度：８６００ルクス）とを、図６に示すように、屋内照明の光野にスポットライトの光野が収まるように設置して実験を行った。【０１７５】
表４に記載された発光装置の組合せを用いたこと以外は実験例２−１と同様に、実験例２−２ないし実験例２−８を行った。【０１７６】
【表４】
2018194168.tif 000014
【０１７７】
下記が結果である。
参考実験例２−１で用いたスポットライトの照度に対して、参考実験例２−２で用いたスポットライトの照度が１０％程度高かったが、後者による明るさは、その差である２３０ルクスを超えると知覚した。
参考実験例２−３で用いたスポットライトの照度に対して、参考実験例２−４で用いたスポットライトの照度が２０％程度低いにもかかわらず、両スポットライトによる明るさは同等であると知覚した。
実験例２−１で用いたスポットライトの照度に対して、実験例２−２で用いたスポットライトの照度が３０％程度低いにもかかわらず、両スポットライトによる明るさは同等であると知覚した。
実験例２−３で用いたスポットライトの照度に対して、実験例２−４で用いたスポットライトの照度が３０％程度低いにもかかわらず、両スポットライトによる明るさは同等であると知覚した。
実験例２−５で用いたスポットライトの照度に対して、実験例２−６で用いたスポットライトの照度が２０％程度低いにもかかわらず、両スポットライトによる明るさは同等であると知覚した。
実験例２−７で用いたスポットライトの照度に対して、実験例２−８で用いたスポットライトの照度が３０％程度低いにもかかわらず、両スポットライトによる明るさは同等であると知覚した。【０１７８】
［まとめ］
実験例２−１ないし実験例２−８から言えることは次である。
スポットライトとして第１の発光装置を使用した場合には、屋内照明として使用する第２の発光装置の相関色温度にかかわらず、スポットライトとして第３の発光装置を使用した場合のその照度より低くても、両スポットライトによる明るさは同等であると知覚する。【０１７９】
参考実験例２−３ないし参考実験例２−４から言えることは次である。
屋内照明として第３の発光装置を使用し、スポットライトとして第１の発光装置又は第３の発光装置を使用した場合、第１の発光装置の照度が第３の発光装置の照度より１０％ないし２０％程度低くても、両スポットライトによる明るさは同等であると知覚する。
これを実験例２−１ないし実験例２−８の結果を加味して検討すると、屋内照明として第２の発光装置を使用し、スポットライトとして第１の発光装置又は第３の発光装置を使用した場合、第２の発光装置の相関色温度にかかわらず、第１の発光装置の照度がスポットライトとして第３の発光装置を使用した場合のその照度より２０％ないし３０％程度低くても、両スポットライトによる明るさは同等であると知覚する。
すなわち、スポットライトとして第１の発光装置を使用する場合と第３の発光装置を使用する場合とを比較した場合、屋内照明として第３の発光装置を使用する場合よりも、屋内照明として第２の発光装置を使用する場合の方が、第３の発光装置の照度に対して第１の発光装置がより低い照度であっても、両スポットライトによる明るさは同等であると知覚する。【０１８０】
＜３．その他＞
［実験例３］
・第１の発光装置：光源５
・第２の発光装置：光源３
・第３の発光装置：光源１
第１の発光装置として光源５、第２の発光装置として光源３、第３の発光装置として光源１を用いる。実施例１−２と同様に、図２に示すように、第１の発光装置、第２の発光装置、および第３の発光装置をこの順に並べ、第１の発光装置の光野と第２の発光装置の光野とが一部重複し、かつ、第２の発光装置の光野と第３の発光装置の光野とが一部重複するが、第１の発光装置の光野と第３の発光装置の光野とは重複しないように並べる。【０１８１】
このとき、第２の発光装置のＤｕｖＳＳＬ２、ＳＡＴａｖｅ２、及びＭｉｒｅｄ−２（Ｋ−１）のうちの少なくとも１つが下記条件を満たしていることは、表１より明らかである。
すなわち、ＤｕｖＳＳＬ２については、
ＤｕｖＳＳＬ１  ＜  ＤｕｖＳＳＬ２  ＜  ＤｕｖＳＳＬ３
であり、
ＤｕｖＳＳＬ２  ＝  ＤｕｖＳＳＬ１  ＋（ＤｕｖＳＳＬ３  −  ＤｕｖＳＳＬ１）×｛（１／２）±ｘ｝
である。ただし、ｘは０．３５以下である。【０１８２】
ＳＡＴａｖｅ２については、
ＳＡＴａｖｅ３  ＜  ＳＡＴａｖｅ２  ＜  ＳＡＴａｖｅ１
であり、
ＳＡＴａｖｅ２  ＝  ＳＡＴａｖｅ１  ＋（ＳＡＴａｖｅ３  −  ＳＡＴａｖｅ１）×｛（１／２）±ｘ｝
である。ただし、ｘは０．３５以下である。【０１８３】
Ｍｉｒｅｄ−２（Ｋ−１）  ＝  Ｍｉｒｅｄ−Ｌ（Ｋ−１）  ＋（Ｍｉｒｅｄ−Ｈ（Ｋ−１）  −  Ｍｉｒｅｄ−Ｌ（Ｋ−１））×｛（１／２）±ｘ｝
である。ただし、ｘは０．３５以下である。【０１８４】
このとき、３種の発光装置からの光は連続し、第１の発光装置から出射された光の色と第２のから出射された光の色との間の見た目に違和感はなく、別々の光には見えない。また、第２の発光装置から出射された光の色と第３の発光装置から出射された光の色との間の見た目に違和感はなく、別々の光には見えない。つまり、３種の発光装置からの出射された隣り合うそれぞれの光によって、全体的に違和感のないグラデーションを作る。
このことは、第３の発光装置の代わりに第４の発光装置を用いた場合にも同様である。すなわち、３種の発光装置からの光は連続し、第１の発光装置から出射された光の色と第２のから出射された光の色との間の見た目に違和感はなく、別々の光には見えない。また、第２の発光装置から出射された光の色と第４の発光装置から出射された光の色との間の見た目に違和感はなく、別々の光には見えない。つまり、３種の発光装置からの出射された隣り合うそれぞれの光によって、全体的に違和感のないグラデーションを作る。
また、第３の発光装置に加えて第４の発光装置を用いた場合にも同様である。すなわち、４種の発光装置からの光は連続し、第１の発光装置から出射された光の色と第２のから出射された光の色との間の見た目に違和感はなく、別々の光には見えない。また、第２の発光装置から出射された光の色と第３の発光装置から出射された光の色との間の見た目に違和感はなく、別々の光には見えない。さらに、第３の発光装置から出射された光の色と第４の発光装置から出射された光の色との間の見た目に違和感はなく、別々の光には見えない。つまり、４種の発光装置からの出射された隣り合うそれぞれの光によって、全体的に違和感のないグラデーションを作る。【０１８５】
以上のことは、第１の発光装置として光源７を用いた場合も同様である。また、第２の発光装置として光源１１を用いた場合も同様である。また、第２の発光装置として光源８〜１０のうちの一以上の発光装置を用いた場合も同様である。
【図１】
2018194168.tif 000019
【図２】
2018194168.tif 000020
【図３】
2018194168.tif 000021
【図４】
2018194168.tif 000022
【図５】
2018194168.tif 000023
【図６】
2018194168.tif 000024
【国際調査報告】
2018194168.tif 000025
2018194168.tif 000026